(57)【特許請求の範囲】
【請求項１】
島設備に固定される矩形枠状の外枠と、
前記外枠の左右一方側にて上下方向を回動軸として開閉可能に支持された扉体と、
前記扉体の背面側に設けられ、遊技球の払出しを行う払出機構部と、
前記扉体の左右他方側に配設され、前記外枠に対し前記扉体を施錠する施錠装置とを備えた遊技機であって、
前記施錠装置は、
金属製の導電材を用いて形成され、
前記外枠は、
上下左右の各辺部を構成する枠構成部のうち、左右両側の枠構成部が金属製の導電材を用いて形成され、上下の枠構成部が絶縁性部材を用いて形成され、
前記左右両側の枠構成部のうち、前記扉体の回動軸側に対応する前記左右一方側の枠構成部に対し前記扉体が支持されることにより、前記左右一方側の枠構成部と前記扉体との電気的導通が図られ、
前記扉体が前記外枠に対し施錠されることによって、前記左右他方側の枠構成部と前記扉体との電気的導通が図られることにより、
前記左右一方側の枠構成部を介して、少なくとも前記払出機構部からの静電気除去を行うことのできる第１の導電経路と、
前記施錠装置及び前記左右他方側の枠構成部のうち少なくとも施錠装置を介して、少なくとも前記払出機構部からの静電気除去を行うことのできる第２の導電経路とを備えたことを特徴とする遊技機。
【請求項２】
前記施錠装置は、
自身に設けられた扉体用係合部と、前記外枠に設けられた扉体用被係合部とが係合することにより、前記扉体の開放を規制する施錠状態となり、
前記扉体用係合部が前記扉体用被係合部から離脱することにより、前記扉体の開放を許容する解錠状態となる構成であって、
前記扉体用被係合部は、
金属製の導電材を用いて形成されるとともに、前記左右他方側の枠構成部との電気的導通が図られ、
前記施錠装置が前記施錠状態となることにより、前記扉体用係合部と前記扉体用被係合部とが電気的に導通して、当該施錠装置と前記左右他方側の枠構成部とが電気的に導通し、
前記左右一方側の枠構成部の上下部には、前記扉体を開閉可能に支持する外枠側枢支部材が設けられ、
前記外枠側枢支部材は、
金属製の導電材を用いて形成されるとともに、前記左右一方側の枠構成部との電気的導通が図られ、
前記扉体は、
その回動軸側の上下部に、前記外枠側枢支部材に対し回動可能に組付けられる扉体側枢支部材を備え、
前記扉体側枢支部材は、
金属製の導電材を用いて形成されるとともに、前記払出機構部との電気的導通が図られ、
前記左右一方側の枠構成部に対し前記扉体が支持されることにより、前記外枠側枢支部材と前記扉体側枢支部材とが電気的に導通して、前記左右一方側の枠構成部と前記扉体とが電気的に導通することを特徴とする請求項１に記載の遊技機。
【請求項３】
前記遊技機は、パチンコ機、又は、球使用式遊技機であることを特徴とする請求項１又は２に記載の遊技機。
【発明の詳細な説明】
【技術分野】
【０００１】
本発明は、パチンコ機等の遊技機に関するものである。
【背景技術】
【０００２】
パチンコ機等の遊技機の背面側には、遊技に関する制御を行うための各種制御装置や、遊技球の払出しを行うための払出機構が設けられている。
【０００３】
従来では、遊技球等に帯電した静電気を機外へ逃がす種々の対策がとられている（例えば、特許文献１参照）。
【先行技術文献】
【特許文献】
【０００４】
【特許文献１】特許第４２５９４１５号公報
【発明の概要】
【発明が解決しようとする課題】
【０００５】
ところが、特許第４２５９４１５号公報に記載された発明では、貯留タンク、タンクレール、ケースレール及び払出装置のいずれもが金属板ひいてはヒンジに対し電気的に接続されており、帯電した静電気が金属板及びヒンジを介して機外へ除去される構成となっている。
【０００６】
このため、例えば貯留タンク内の遊技球に帯電した静電気が、貯留タンクからタンクレールを介して金属板に流れ、さらに金属板を介して払出装置にも流れ込み、払出装置の誤作動等といった不具合が発生するおそれがある。
【０００７】
本発明は、上記例示した問題点などを解決するためになされたものであり、その目的は、静電気の帯電等に起因する不具合の発生を抑制することのできる遊技機を提供することにある。
【課題を解決するための手段】
【０００８】
上記の目的を達成するため、本発明に係る遊技機は、
島設備に固定される矩形枠状の外枠と、
前記外枠の左右一方側にて上下方向を回動軸として開閉可能に支持された扉体と、
前記扉体の背面側に設けられ、遊技球の払出しを行う払出機構部と、
前記扉体の左右他方側に配設され、前記外枠に対し前記扉体を施錠する施錠装置とを備えた遊技機であって、
前記施錠装置は、
金属製の導電材を用いて形成され、
前記外枠は、
上下左右の各辺部を構成する枠構成部のうち、左右両側の枠構成部が金属製の導電材を用いて形成され、上下の枠構成部が絶縁性部材を用いて形成され、
前記左右両側の枠構成部のうち、前記扉体の回動軸側に対応する前記左右一方側の枠構成部に対し前記扉体が支持されることにより、前記左右一方側の枠構成部と前記扉体との電気的導通が図られ、
前記扉体が前記外枠に対し施錠されることによって、前記左右他方側の枠構成部と前記扉体との電気的導通が図られることにより、
前記左右一方側の枠構成部を介して、少なくとも前記払出機構部からの静電気除去を行うことのできる第１の導電経路と、
前記施錠装置及び前記左右他方側の枠構成部のうち少なくとも施錠装置を介して、少なくとも前記払出機構部からの静電気除去を行うことのできる第２の導電経路とを備えたことをその要旨としている。
【発明の効果】
【０００９】
本発明の遊技機によれば、静電気の帯電等に起因する不具合の発生を抑制することができるという優れた効果を奏する。
【図面の簡単な説明】
【００１０】
【図１】一実施形態におけるパチンコ機を示す正面図である。
【図２】前面枠セット及び下皿ユニットを開放した状態のパチンコ機を示す斜視図である。
【図３】外枠を示す斜視図である。
【図４】前面枠セットを取外した状態における内枠等を示す正面図である。
【図５】前面枠セット及び下皿ユニットを閉鎖した状態のパチンコ機を示す部分斜視図である。
【図６】上皿を示す平面図である。
【図７】遊技盤の構成を示す正面図である。
【図８】遊技球発射ユニットを示す正面図である。
【図９】前面枠セットの構成を示す背面図である。
【図１０】下皿ユニットを示す正面図である。
【図１１】下皿ユニットを示す背面図である。
【図１２】施錠装置を示す正面図である。
【図１３】施錠装置を示す右側面図である。
【図１４】施錠装置を示す左側面図である。
【図１５】施錠装置の正面側の斜視図である。
【図１６】施錠装置の背面側の斜視図である。
【図１７】パチンコ機の構成を示す背面図である。
【図１８】パチンコ機裏面における第１制御基板ユニット、第２制御基板ユニット及び裏パックユニットの配置を示す模式図である。
【図１９】内枠及び遊技盤の構成を示す背面図である。
【図２０】内枠の背面構成を示す斜視図である。
【図２１】支持金具の構成を示す斜視図である。
【図２２】第１制御基板ユニットの構成を示す正面図である。
【図２３】第２制御基板ユニットの構成を示す正面図である。
【図２４】裏パックユニットの構成を示す正面図である。
【図２５】裏パックユニットの分解斜視図である。
【図２６】タンク及びタンクレールの構成を示す断面図である。
【図２７】払出機構部の各構成部材の成形材料及びその特性を示した図である。
【図２８】パチンコ機の主な電気的構成を示すブロック図である。
【図２９】主な物質の電気抵抗率を示した図である。
【発明を実施するための形態】
【００１１】
上述したように、従来、パチンコ機等の遊技機の背面側には、遊技に関する制御を行うための各種制御装置や、遊技球の払出しを行うための払出機構が設けられている。当該払出機構は、遊技ホールの島設備に設けられた球供給手段から供給される多量の遊技球を一時的に貯留する貯留タンクを備えるとともに、当該貯留タンクから導出される遊技球を整列させつつ流下させる案内レール（タンクレールやケースレール）等を経て、払出装置へ遊技球を順次導くように構成されている。そして、払出装置より払出された遊技球は、所定の球通路を通って遊技機前面側の球受皿へと導出される。
【００１２】
球供給手段からの供給時や、遊技球が払出機構を順次移動する際には、遊技球同士の接触や、払出機構の構成部材との接触等により静電気が発生することがある。
【００１３】
遊技球が帯電し、放電現象が起きる等した場合には、その放電電流により電子デバイスや電子機器等が損傷を受けたり（直接ＥＳＤ）、放電により発生した電磁ノイズにより電子機器等の誤動作を誘発する（間接ＥＳＤ）といった種々の不具合が発生するおそれがある。例えば、払出装置や各種制御装置の誤作動、球検出センサの誤検知、制御信号へのノイズ混入等などが懸念される。
【００１４】
そこで、従来では、このような事態を防止するため、遊技球等に帯電した静電気を機外へ逃がす種々の対策がとられている。例えば払出機構の構成部材を導電性樹脂材料等により形成するとともに、これらを所定の電気的接続手段を介して島設備の外部アースと接続して、帯電した静電気を除去する構成が挙げられる。
【００１５】
中でも、球供給手段から遊技球が供給される貯留タンクや、当該貯留タンクから落下する遊技球を受け、整列させるタンクレールなどのように、特に遊技球同士が衝突する頻度が多く、静電気が帯電しやすい箇所に対応するため、貯留タンクやタンクレールなどに用いられる導電材の抵抗率を、払出装置などに用いられる導電材の低効率よりも低いものとし、できる限り早い段階で効率よく静電気を除去できる技術が本願出願人によって既に開示されている（例えば、特許文献１参照）。
【００１６】
ところが、特許第４２５９４１５号公報に記載された発明では、貯留タンク、タンクレール、ケースレール及び払出装置のいずれもが金属板ひいてはヒンジに対し電気的に接続されており、帯電した静電気が金属板及びヒンジを介して機外へ除去される構成となっている。
【００１７】
このため、例えば貯留タンク内の遊技球に帯電した静電気が、貯留タンクからタンクレールを介して金属板に流れ、さらに金属板を介して払出装置にも流れ込み、払出装置の誤作動等といった不具合が発生するおそれがある。
【００１８】
本発明は、上記例示した問題点などを解決するためになされたものであり、その目的は、静電気の帯電等に起因する不具合の発生を抑制することのできる遊技機を提供することにある。
【００１９】
以下、パチンコ遊技機（以下、単に「パチンコ機」という）の一実施形態を、図面に基づいて詳細に説明する。図１はパチンコ機１０の正面図であり、図２は、後述する外枠１１と内枠１２とに対して、前扉としての前面枠セット１４及び下皿ユニット１３を開放した状態を示す斜視図である。但し、図２では便宜上、後述する遊技盤４２及びガラスユニット１５０を省略して示している。
【００２０】
図１，２に示すように、パチンコ機１０は、当該パチンコ機１０の外殻を構成する外枠１１を備えており、この外枠１１の左側部に内枠１２が開閉可能に支持されている。
【００２１】
ここで、外枠１１について図３を参照しつつ説明する。図３は外枠１１の全体を示す斜視図である。本実施形態における外枠１１は、上辺枠構成部１１ａ及び下辺枠構成部１１ｂが木製の板材により構成され、左辺枠構成部１１ｃ及び右辺枠構成部１１ｄがアルミニウム合金製の押出成形材により構成され、これら各枠構成部１１ａ〜１１ｄがネジ等の離脱可能な締結具により全体として矩形枠状に組み付けられている。
【００２２】
左辺枠構成部１１ｃ及び右辺枠構成部１１ｄは、原料となるアルミニウム合金を高温・高圧下のもと所定断面形状で押出形成し、この押出成形材を所定寸法に切断し、切削加工等によりネジ止め用のネジ孔など細かい箇所を加工して得られる。
【００２３】
左辺枠構成部１１ｃの上下端部には、それぞれ上ヒンジ金具１５及び下ヒンジ金具１６が取着されている。これに対し、図１９，２０に示すように、内枠１２の左側（図１９，２０では右側）の上下端部には、支持金具６５，６６が取付けられている。そして、左辺枠構成部１１ｃのヒンジ金具１５，１６に対して内枠１２の支持金具６５，６６を組み付けることで、外枠１１に対して内枠１２が開閉可能に装着されることとなる。より詳しく説明すると、上ヒンジ金具１５には挿込孔１５ａが形成され、下ヒンジ金具１６には上方へ突出した突起部１６ａが形成されている。一方、これに対する支持金具６５，６６には、図示は省略するが、それぞれ挿込孔１５ａに挿し込まれる突起部や、突起部１６ａが挿し込まれる挿込孔が形成されている。これらをそれぞれ組み付けることにより、内枠１２の上下部が回動可能に支持されて、内枠１２が開閉可能となる。つまり、内枠１２の開閉軸線はパチンコ機１０の正面からみて左側に上下に延びるように設定されており、この開閉軸線を軸心にして内枠１２が前方側に開放できるようになっている。そして、外枠１１の内側に形成される空間部に、内枠１２や裏パックユニット２０３など遊技機の本体部が収容される。
【００２４】
一方、右辺枠構成部１１ｄの内側には、後述する施錠装置Ｇ１の鉤部材１９２，１９３（図１３等参照）に対応して、上下一対の爪馬１７，１８が取付けられている。そして、内枠１２の閉時においては、各爪馬１７，１８に対して鉤部材１９２，１９３が係合されることにより、内枠１２の開放が規制される。
【００２５】
本実施形態における爪馬１７，１８は、その先端部が略直角に折り曲げられることにより所謂折り返し部１７ａ，１８ａを備えている。当該折り返し部１７ａ，１８ａの存在により、内枠１２が閉鎖状態とされる場合において、爪馬１７，１８自身の長さをさほど長くせずとも、鉤部材１９２，１９３の係合状態の安定化、ひいては爪馬１７，１８と鉤部材１９２，１９３との電気的導通状態の安定化をより確実に図ることができる。
【００２６】
なお、本実施形態におけるヒンジ金具１５，１６、支持金具６５，６６、爪馬１７，１８は、アルミニウム合金製の外枠１１本体（左辺枠構成部１１ｃ及び右辺枠構成部１１ｄ）よりも剛性の高い冷間圧延鋼板（ＳＰＣＣ等）、電気亜鉛めっき鋼板（ＳＥＣＣ等）などにより形成されている。
【００２７】
また、図３に示すように、爪馬１７，１８は、その基部が直接、右辺枠構成部１１ｄの内側面にネジ止めされているため、爪馬１７，１８及び右辺枠構成部１１ｄは電気的に導通した状態となっている。
【００２８】
外枠１１の下辺枠構成部１１ｂには、樹脂製の幕板飾り１９が取着されている。なお、幕板飾り１９上面には、金属製の滑り部材２１，２２が設けられ、これにより内枠１２開閉時における摺動の円滑性が担保されている。また、幕板飾り１９の上面奥部には、上方に突出するリブ２３が一体形成されている。これにより内枠１２との間に隙間が形成されにくくなっており、この意味において不正防止が図られている。
【００２９】
図１，２の説明に戻り、内枠１２、下皿ユニット１３及び前面枠セット１４の本体部は絶縁性を有する合成樹脂、具体的にはＡＢＳ（アクリロニトリル−ブタジエン−スチレン）樹脂により構成されている。これら各部材の本体部の成形に合成樹脂を用いることにより、金属製素材を用いた場合と比較してより複雑な形状に対応できるとともに、生産コストの増大を抑制することもできる。また、ＡＢＳを用いる利点としては、ポリカーボネイト等の樹脂素材と比較して、生産コストが低い、粘性が強く衝撃に強い等が挙げられる。加えて、例えば前面枠セット１４の前面側等の意匠面にメッキ等のコーティング処理を施す場合において、その処理を比較的容易に行いやすく、外観品質のより高いものが製造できるというメリットがある。
【００３０】
前面枠セット１４及び下皿ユニット１３は、内枠１２に対し開閉可能に取付けられている。下皿ユニット１３及び前面枠セット１４ともに、内枠１２と同様、パチンコ機１０の正面からみて左側に上下に延びる開閉軸線を軸心にして前方側に開放できるようになっている。
【００３１】
図４は、パチンコ機１０より前面枠セット１４を取り外した状態を示す正面図である（但し、図４では便宜上、遊技盤４２面上の遊技領域内の構成を空白で示している）。なお、内枠１２の前面側には、その周囲（前面枠セット１４に対応する部分）においてリブＲ１が突設されている。そして、前面枠セット１４の閉時には、前面枠セット１４がリブＲ１の内側に嵌まり込んだ状態となる。この構成により、前面枠セット１４と内枠１２との間の隙間から針金等を進入させることが困難となり、不正防止の役割を果たす。
【００３２】
図２に示すように、内枠１２下部の下皿ユニット１３に対応する位置に設けられた収容凹部２４には、後記する遊技球発射ユニット７０の一部、中継基板ＤＫ等が収容されている。そして、後述するハンドル３５内のタッチセンサや操作量検出手段等から延びる電気配線などが、中継基板ＤＫを介して、収容凹部２４の左側部に設けられた透孔（図示略）から後方へと導出され、各種制御用の基板等に電気的に接続されている。
【００３３】
また、下皿ユニット１３の裏面には、下皿ユニット１３の強度、剛性を担保するべく、補強部材としての補強用板金２８がそのほぼ全面に取付けられている。補強用板金２８など後述する各種補強用板金は、比較的剛性の高い冷間圧延鋼板（ＳＰＣＣ等）、電気亜鉛めっき鋼板（ＳＥＣＣ等）などにより形成されている。
【００３４】
下皿ユニット１３には、パチンコ機１０の前面に張り出すように設けられた張出部３２（図５参照）に囲まれるようにして、そのほぼ中央部に下皿３１が設けられている。下皿３１には、排出口３０を介して後述する払出機構部３５２（第２払出通路２４７）から排出された遊技球が貯留される。上述のとおり、下皿ユニット１３は、張出部３２を含むその大部分がＡＢＳ樹脂にて成形されているが、その中でも特に下皿（皿本体部）３１は、後述するように導電性を有するＡＢＳ樹脂にて成形されている。そして、下皿３１は補強用板金２８と接触するように組付けられており、下皿３１と補強用板金２８との電気的導通が図られている。詳しくは後述するが、このような構成の下、下皿ユニット１３を内枠１２に対し施錠状態とした場合には、下皿３１がパチンコ機１０外部とアース接続されることとなる。
【００３５】
なお、符号３３はスピーカＳＰ（図２参照）からの音出力口であり、符号３４は下皿３１内から遊技球を下方へと排出するための球抜きレバーである。
【００３６】
下皿３１よりも右方には、手前側に突出して遊技球発射ハンドル（以下単に「ハンドル」という）３５が配設されている。つまり、ハンドル３５は、下皿ユニット１３の開閉軸線とは反対側にあたるパチンコ機１０の正面からみて右側に位置している。ハンドル３５には、タッチセンサや、ハンドル３５の操作部の操作量を検出するための操作量検出手段などが設けられている。また、下皿３１の左方には、灰皿３６が設けられている。
【００３７】
一方、図１に示すように、下皿３１の上方には、上皿３７が設けられている。上皿３７は、前面枠セット１４下部にて、パチンコ機１０の前面に張り出すように設けられた張出部３８（図５参照）に囲まれるようにして配置されている。上皿３７は、後述する払出機構部３５２から払出される遊技球を一旦貯留し、一列に整列させながら遊技球発射ユニット７０の方へ誘導する機能を有する球受皿である。
【００３８】
より詳しくは、図５，６に示すように、上皿３７は、左右方向に長く上方に開口した略箱状に形成されており、その内部に遊技球を貯留可能となっている。
【００３９】
上皿３７の奥壁部３７ａの左端には排出口３７ｂが形成されており、この排出口３７ｂを介して払出機構部３５２（第１払出通路２４６）から払出される遊技球が上皿３７へ排出される。
【００４０】
上皿３７の底部３７ｃはパチンコ機１０正面から見て左側から右側に向けて下方へ傾斜している。
【００４１】
上皿３７の左右方向略中央部より左側部分すなわち上流側部分は、前後幅が比較的広く、より多くの遊技球を貯留できるスペースが確保されている。
【００４２】
一方、上皿３７の右側部分すなわち下流側部分には、前面枠セット１４裏側に設けられた後述する球出口１４１へ通じる前後幅の比較的狭い整流部３７ｄが設けられている。この整流部３７ｄは、球出口１４１ひいては遊技球発射ユニット７０に向けて遊技球を１列に整列しつつ誘導する機能を有する。
【００４３】
また、上皿（皿本体部）３７も、下皿３１と同様、後述するように導電性を有するＡＢＳ樹脂にて成形されている。そして、上皿３７は、後述する補強用板金１３４と接触するように組付けられており、上皿３７と補強用板金１３４との電気的導通が図られている。より詳しくは、遊技球１つ分の幅を有する整流部３７ｄの始点（球受皿の特定位置）Ｈ１よりも下流側（図６の右側）の特定部位と補強用板金１３４とが接触している。詳しくは後述するが、このような構成の下、前面枠セット１４を内枠１２に対し施錠状態とした場合には、上皿３７がパチンコ機１０外部とアース接続されることとなる。
【００４４】
また、図４において、内枠１２は、外形が矩形状の樹脂ベース４０を主体に構成されており、樹脂ベース４０の中央部には略円形状の窓孔４１が形成されている。樹脂ベース４０の後側には遊技盤４２が着脱可能に装着されている。遊技盤４２は四角形状の合板よりなり、その周縁部が樹脂ベース４０（内枠１２）の裏側に当接した状態で取着されている。従って、遊技盤４２の前面部の略中央部分が樹脂ベース４０の窓孔４１を通じて内枠１２の前面側に露出した状態となっている。なお、樹脂ベース４０には、前面枠セット１４の開放を検知する図示しない開放検知センサが設けられている。また、図示しないが内枠１２の開放を検知する開放検知センサも設けられている。
【００４５】
次に、遊技盤４２の構成を、図７を用いて説明する。遊技盤４２には、入球手段として、一般入賞口４３、可変入賞装置４４、第１契機対応口（始動口）４５、第２契機対応口（スルーゲート）４６などが配設されるとともに、可変表示装置ユニット４７が配設されている。これらは、ルータ加工によって形成された貫通穴に配設され、遊技盤４２前面側から木ネジ等により取付けられている。周知の通り前記一般入賞口４３、可変入賞装置４４、第１契機対応口４５に遊技球が入球し、後述する検出スイッチの出力により、上皿３７（または下皿３１）へ所定数の賞球が払出される。その他に、遊技盤４２にはアウト口４８が設けられており、各種入賞部（入賞装置、入賞口、第１契機対応口４５等）に入球しなかった遊技球はこのアウト口４８を通って球排出路の方へと案内されるようになっている。遊技盤４２には、遊技球の落下方向を適宜分散、調整等するために多数の釘が植設されているとともに、風車４９等の各種部材（役物）が配設されている。
【００４６】
可変表示装置ユニット４７には、第２契機対応口４６の通過を契機として第２図柄を変動表示する第２図柄表示装置５１と、第１契機対応口４５への入賞を契機として第１図柄（特別図柄）を変動表示する第１図柄表示装置５２（特別図柄表示装置）とが設けられている。第２図柄表示装置５１（普通図柄表示装置）は、第２図柄（普通図柄）用の表示部５３と保留ランプ５４とを有し、遊技球が第２契機対応口４６を通過する毎に例えば表示部５３による表示図柄（第２図柄）が変動し、その変動表示が所定図柄で停止した場合に第１契機対応口４５が所定時間だけ作動状態となる（開放される）よう構成されている。
【００４７】
第２図柄表示装置５１の表示部５３における第２図柄の変動表示中に、新たに遊技球が第２契機対応口４６を通過した場合には、その分の第２図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。しかし、かかる最大保留回数は、これに限定されるものではない。例えば、８回分の第２図柄の変動表示を待機させるべく、最大保留回数を８回に設定することとしてもよい。なお、表示部５３は、複数のランプの点灯を切り換えることにより変動表示される構成の他、第１図柄表示装置５２（液晶表示装置）の一部で変動表示される構成等であっても良い。保留ランプ５４も同様に、第１図柄表示装置５２の一部で変動表示される構成等であっても良い。
【００４８】
第１図柄表示装置５２は液晶表示装置として構成されており、後述する表示制御装置５５により表示内容が制御される。なお、本実施形態では、第１図柄表示装置５２（液晶表示装置）は８インチサイズの大型の液晶ディスプレイを備える。可変表示装置ユニット４７には、第１図柄表示装置５２を囲むようにしてセンターフレーム５７が配設されている。
【００４９】
なお、第１図柄表示装置５２には、図示は省略するが、左・中・右の３つの図柄列が設定されており、図柄列毎に図柄（第１図柄）が変動表示される。本実施形態では、例えば第１図柄は、「０」〜「９」の数字を各々付すよう構成されており、数字の昇順又は降順に第１図柄が表示されて一連の図柄列が構成されている。そして、周期性をもって第１図柄が上から下へと変動表示されるようになっている。
【００５０】
この場合において、左図柄列においては、第１図柄が降順（付された数字が減る順）に表示され、中図柄列及び右図柄列においては、同じく第１図柄が昇順（付された数字が増える順）に表示される。そして、左図柄列→右図柄列→中図柄列の順に変動表示が停止し、その停止時に第１図柄表示装置５２上で第１図柄が大当たり図柄の組合せ（本実施形態では、同一の第１図柄の組合せ）で揃えば大当たりとして特別遊技動画が表示されるようになっている（大当たり状態が開始される）。
【００５１】
可変入賞装置４４は、通常は遊技球が入賞できない又は入賞し難い閉状態になっており、大当たり（特別遊技状態の発生）の際に遊技球が入賞しやすい開状態と通常の閉状態とに繰り返し作動されるようになっている。上述したように第１契機対応口４５に対し遊技球が入賞し、第１図柄表示装置５２で図柄が変動表示され、その停止後の確定図柄が予め設定した特定の図柄の組合せとなったことを必要条件に特別遊技状態が発生すると、可変入賞装置４４の大入賞口が所定の開放状態となり、遊技球が入賞しやすい状態（大当たり状態）になるよう構成されている。具体的には、所定時間の経過又は所定個数の入賞を１ラウンドとして、可変入賞装置４４の大入賞口が所定回数繰り返し開放される。
【００５２】
第１図柄表示装置５２の図柄変動表示中に新たに遊技球が第１契機対応口４５に入賞した場合には、その分の図柄変動表示は、その時点で行われている図柄変動表示の終了後に行われる構成となっている。つまり、図柄変動表示が待機（保留、記憶）されることとなる（記憶手段）。この保留される図柄変動表示の最大回数は、パチンコ機の機種毎に決められているが、本実施形態では４回まで保留され、その保留回数が保留ランプ５６にて点灯表示されるようになっている。しかし、最大保留回数は、これに限定されるものではない。例えば、８回分の図柄変動表示を待機させるべく、最大保留回数を８回に設定することとしてもよい。なお、保留ランプ５６は、第１図柄表示装置５２の一部で変動表示される構成等であっても良い。
【００５３】
また、遊技盤４２には、遊技球発射ユニット７０から発射された遊技球を遊技盤４２上部へ案内するための誘導レールが取り付けられており、ハンドル３５の回動操作に伴い発射された遊技球は誘導レールを通じて所定の遊技領域に案内されるようになっている。本実施形態では、レールは、所定間隔を隔てて内外二重に配設された内レール５８と外レール５９とを有する。両レール５８，５９は、ステンレス製の金属帯によって構成されている。内レール５８は上方及び右側方の約１／２ほどを除いて略円環状に形成されている。また、一部（主に左側部）が内レール５８に向かい合うようにして外レール５９が設けられている。この場合において、内レール５８と外レール５９とにより主として誘導レールが構成され、これら各レール５８，５９が所定間隔を隔てて並行する部分（向かって左側の部分）により球案内通路が形成されている。
【００５４】
内レール５８の先端部分（図７の左上部）には戻り球防止部材６１が取着されている。これにより、一旦、内レール５８及び外レール５９間の球案内通路から遊技盤４２の上部へと案内された遊技球が再度球案内通路内に戻ってしまうといった事態が防止されるようになっている。また、内レール５８の戻り球防止部材６１とは反対側の端部と、外レール５９の先端部との間（向かって右側の部分）には、両者を繋ぐようにして樹脂製の円弧部材６２が取着されている。該円弧部材６２の上端部（外レール５９側の部分）、すなわち、遊技球の最大飛翔部分に対応する位置（図７の右上部）には、返しゴム６３が取着されている。従って、所定以上の勢いで発射された遊技球は、返しゴム６３に当たって例えば遊技盤４２の略中央部側へ戻される。なお、遊技盤４２の右下隅部及び左下隅部は、証紙等のシールやプレート（例えば図７の右下隅部のＳ１）を貼着するためのスペースとなっている。
【００５５】
次に、遊技領域について説明する。遊技領域は、レールの内周部（内外レール５８，５９）により略円形状に区画形成されており、特に本実施形態では、遊技盤４２の盤面上に区画される遊技領域が従来よりもはるかに大きく構成されている。
【００５６】
本実施形態では、遊技領域を、パチンコ機１０の正面から見て、内レール５８、外レール５９及び円弧部材６２によって囲まれる領域のうち、内外レール５８，５９の並行部分である誘導レールの領域を除いた領域としている。従って、遊技領域と言った場合には誘導レール部分は含まないため、遊技領域の向かって左側限界位置は外レール５９によってではなく内レール５８によって特定される。同様に、遊技領域の向かって右側限界位置は円弧部材６２によって特定される。また、遊技領域の下側限界位置は遊技盤４２の下端位置によって特定される。また、遊技領域の上側限界位置は外レール５９によって特定される。
【００５７】
図４の説明に戻り、前記樹脂ベース４０において、窓孔４１（遊技盤４２）の下方には、遊技球発射ユニット７０が取付けられている。図８は遊技球発射ユニット７０の正面図である。この図に基づいてより詳しく説明すると、遊技球発射ユニット７０は、樹脂ベース４０に固定された金属製のベース板７１と、ベース板７１に取付けられた発射装置７２と、発射装置７２の先端側において、発射装置７２の長手方向に平行に延びるようにしてベース板７１に取付けられた断面略Ｍ字状をなす発射レール７３と、発射レール７３の基端部に１球ずつ遊技球を誘導案内するべくベース板７１に取付けられた球送りユニット７４と、発射レール７３の基端部上に載置される遊技球を支持して位置決めするべくベース板７１に取付けられた位置決め部材（図示略）とを備えている。
【００５８】
前記発射レール７３は、発射装置７２より発射された直後に遊技球を案内するためのものであって、所定の発射角度（打ち出し角度）となるよう直線的に延びている。そして、ハンドル３５の回動操作に伴い発射された遊技球は、まずは発射レール７３に沿って斜め上方に打ち出され、その後前述した通りレール５８，５９の球案内通路を通じて所定の遊技領域に案内されるようになっている。
【００５９】
本実施形態では、発射装置７２として、従来一般的に採用されていたモータ及び発射槌の組み合わせではなく、リニアソレノイドを採用している。すなわち、発射装置７２は、発射レール７３と平行に延びるプランジャ７６を具備しており、該プランジャ７６の先端には、遊技球を打撃する打部７７が装着されている。かかる構成下、発射装置７２が所定時間毎に励磁・非励磁が繰り返し行われ、これにより、プランジャ７６の出没が繰り返される。そして、プランジャ７６の突出の度に、所定位置に位置決めされた遊技球が発射レール７３から発射されるのである。なお、前記ハンドル３５の操作量に基づき、プランジャ７６の突出速度が適宜調整され（ストローク量はほぼ一定）、これにより、遊技球の発射速度ひいては飛翔量が調整されるようになっている。発射装置７２は、ベース板７１に立設された４箇所のボスに対してねじで固定されているのであるが、本実施形態では、下側の２つのボスはベース板７１に固着されているのに対し、上側の２つのボスは、高さ（突出量）調整可能となっている。従って、該ボスの突出量を適宜調整することで、発射装置７２の取付けられる高さ（突出量）、ひいては、プランジャ７６の先端位置、つまり遊技球の打点を調整することができるようになっている。
【００６０】
前記球送りユニット７４は、上皿３７側から案内されてくる遊技球を１球ずつ、前記発射レール７３の基端部（発射位置）に案内するためのものであり、前記発射装置７２の上部を被覆するようにして前記ベース板７１に固定された樹脂製の台座部８１を介してベース板７１に取り付けられる。
【００６１】
球送りユニット７４は、台座部８１の前面側に着脱可能に取付けられる樹脂製の開閉部８２を備え、当該開閉部８２に所定の球送り機構が収容され一組化された構成となっている。なお、本実施の形態では、台座部８１及び開閉部８２は、透明又は半透明部材であって、透明又は半透明の合成樹脂により形成されている。このため、開閉部８２の外部から、内部に収容された球送り機構を視認できる。このため、球送り機構に何らかの不具合が発生した場合などにおいても、後述するように開閉部８２を取外す前にその状態を認識できる。
【００６２】
より詳しくは、開閉部８２には、その一側（図の右側）に上下一対の軸凸部８２ｂが設けられ、前記台座部８１には、軸凸部８２ｂが差し込まれる上下一対の軸受部８１ｂが設けられている。これにより、開閉部８２が台座部８１の一側（図の右側）にて回動可能に軸支されている。すなわち開閉部８２が台座部８１において開閉可能となっている。また、上の軸凸部８２ｂには、当該軸凸部８２ｂ本体部より開閉部８２の左右方向（回動軸の直交方向）に沿って外方向へ向けて突出した係止凸部８２ｃが形成され、台座部８１には、上の軸受部８１ｂの略上方位置において、係止凸部８２ｃ（軸凸部８２ｂ）をその軸線方向に係止可能な軸係止部材８１ｃが前方に向けて突設されている。軸係止部材８１ｃは、台座部８１の左右方向における内側（図では左側）の一部がテーパ状に切りかかれている。本実施の形態におけるそのテーパ形状（テーパ角）は、前記台座部８１に対する垂線方向（パチンコ機１０の前後方向）より右に斜め約４５度傾いた構成となっている。これにより、開閉部８２を台座部８１に対して完全に取着した状態すなわち閉状態（図８に示した状態）から、前記台座部８１の垂線方向に対して右に斜め約４５度以上傾いた状態まで回動させ、ほぼ全開状態としなければ、前記軸凸部８２ｂを軸受部８１ｂから抜き出せない構成となっている。つまり、開閉部８２が、上述したような前記閉状態から前記全開状態に至る特定の回動区間に位置する場合には、軸凸部８２ｂが軸受部８１ｂより取外し不能となり、開閉部８２を台座部８１から取外せない構成となっている。もちろん、開閉部８２が、台座部８１の垂線方向に対して右に斜め約４５度以上傾いた状態でなければ、軸凸部８２ｂを軸受部８１ｂに差し込むこともできないようになっている。
【００６３】
また、前記台座部８１には、前方へ突出する係止爪８３が一体形成されているとともに、開閉部８２の支持軸とは反対側には爪受部としての係止孔８４が形成されている。常には、前記開閉部８２は閉状態となっているとともに、この閉状態で係止爪８３は操作可能となっている。つまり、開閉部８２が閉鎖されると、係止孔８４に係止爪８３が必然的に係止されることとなり、これにより、該閉状態が維持されるようになっている。
【００６４】
また、開閉部８２の前部には、上皿３７から案内されてくる遊技球を導入する導入口８５が設けられており、該導入口８５から遊技球が下方へと導入される。なお、ケース本体部を構成する開閉部８２には、その後部（取付部に相対する側）においてケース蓋部としての蓋体（図示略）が着脱可能に取付けられており、開閉部８２の内部空間内には、球送り機構が配設されている。
【００６５】
なお、図示は省略するが、前記球送り機構には、前記導入口８５から導入された遊技球を整列させつつ停留させる球誘導路、遊技球を１球ずつ送り出すための駆動手段としての電磁石及び球送り部材としての送出片が設けられている。送出片は、その一端のコーナー部分が、開閉部８２に対し回動可能に軸支されるとともに、その反対側において、遊技球を１個だけ収容可能に凹設されたホルダ部を具備している。また、ホルダ部と回動軸とを結ぶ上辺部分には、前記電磁石に対向するようにして磁性金属よりなる金属片が取着されている。かかる構成により、電磁石がオン状態とされた場合には、金属片が電磁石にくっつくよう引っ張られ、送出片が上方へ回動する。これにより、導入口８５から導入された遊技球（球誘導路に停留される遊技球）がホルダ部に収容され、かつ、該遊技球の下方への流動が規制される。一方、電磁石がオフ状態とされた場合には、送出片が重力によって下方へ回動し、前記ホルダ部に収容されていた遊技球が下方へと流下し、前記発射レール７３の基端部へと案内される。なお、電磁石がオフ状態とされた場合には、送出片の上部によって次の遊技球のホルダ部への流下が規制されている。従って、電磁石のオン・オフ動作が繰り返し実行されることで、遊技球が１球ずつ発射起点位置へと案内されることとなる。なお、電磁石のオン・オフと、発射装置７２（ソレノイド）の励磁・非励磁とが同期させられるよう構成されている。
【００６６】
図４の説明に戻り、発射レール７３と前記レール５８，５９（誘導レール）との間には所定間隔の隙間があり、この隙間より下方にファール球通路９１が形成されている。従って、仮に、発射装置７２から発射された遊技球が戻り球防止部材６１まで至らずファール球として誘導レール内を逆戻りする場合には、そのファール球がファール球通路９１を介して下皿３１に排出される。
【００６７】
なお、図４中の符号２４６は上皿３７に通ずる払出通路（第１払出通路）であり、この第１払出通路２４６を介して遊技球が上皿３７に排出される。第１払出通路２４６には開閉式のシャッタ９３が取り付けられている。詳しい図面の開示は省略するが、シャッタ９３は、その下辺部に沿って設けられた軸部を軸心として回動可能となるとともに、前面枠セット１４を開放した状態（図４の状態）ではバネ等の付勢力によりシャッタ９３が第１払出通路２４６をほぼ閉鎖するようになっている。また、前面枠セット１４を閉鎖した状態では、当該前面枠セット１４の裏面に設けられた球通路樋９４（図２参照）によりシャッタ９３が押し開けられるようになっている。なお、前面枠セット１４の開放状態においては、遊技球は下皿３１へ排出されるようになっている。従って、上述したように、前面枠セット１４に対して上皿３７が直接設けられる構成とした本パチンコ機１０において、前面枠セット１４の開放に際し払出通路内等の遊技球がこぼれ落ちてしまうといった不都合が防止できるようになっている。
【００６８】
樹脂ベース４０には、窓孔４１の左右下部に略四角形状の小窓９５，９６が設けられている。従って、遊技盤４２の左右下隅部に張られたシール等（例えば図７のＳ１等）は、当該小窓９５，９６を通じて視認できるようになっている。また、小窓９５，９６から上記シール等を貼り付けることも可能である。
【００６９】
また、樹脂ベース４０には窓孔４１の左上方において略小判形状の小窓９７が設けられ、小窓９７に対応して遊技盤４２の左上部にも略小判形状の孔部９８が設けられている。そして、後述する前面枠セット１４の円弧状電飾部１１２等と接続される各種電気配線（図示略）が小窓９７及び孔部９８を通して本パチンコ機１０の背面側から導かれている。
【００７０】
また、内枠１２の左端部には、前面枠セット１４及び下皿ユニット１３の支持部材として、支持金具１０１，１０２，１０３が取り付けられている。上段の支持金具１０１には手前側に切欠を有する支持孔１０４が設けられ、中段の支持金具１０２にはそれぞれ上下方向に突出した突起軸１０５，１０６が設けられている。また、下段の支持金具１０３には図示しない支持孔が設けられている。
【００７１】
次に、前面枠セット１４について図１，図９を参照しつつ説明する。図９は、前面枠セット１４の背面図である。前面枠セット１４には前記遊技領域のほとんどを外部から視認することができるよう略楕円形状の窓部１１１が形成されている。
【００７２】
また、パチンコ機１０の正面から見て窓部１１１の左端と前面枠セット１４の左端との間の最短距離（いわゆる左側部フレーム部分の左右幅：図９では右側に示されている）、すなわち開閉軸線側のフレーム幅は、前面枠セット１４自体の強度及び支持強度を高めるために比較的大きく設定されている。この場合、図１及び図４を相互に比較すると明らかなように、前面枠セット１４が閉じられた状態において、外レール５９の左端部の一部が前記左側部フレーム部分によって覆い隠される。このように遊技球が一時的に視認困難となったとしても、それは、遊技球が遊技領域に案内される通過点に過ぎず、遊技者が主として遊技を楽しむ遊技領域において遊技球が視認困難となるわけではない。そのため、実際の遊技に際しては何ら支障が生じない。また、このような支障が生じない一方で、前面枠セット１４の十分な強度及び支持強度が確保可能となっている。
【００７３】
加えて、前面枠セット１４にはその周囲（例えばコーナー部分）に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１１１の周縁には、多数のＬＥＤ等の発光手段を内蔵した円弧状電飾部１１２が設けられている。本パチンコ機１０では、円弧状電飾部１１２が大当たりランプ等の演出ランプとして機能し、大当たり時やリーチ演出時等に点灯や点滅を行うことにより、大当たり中である旨、或いはリーチ中である旨を報知する。その他、円弧状電飾部１１２の左右側方には、賞球払出し中に点灯する賞球ランプ１１３と所定のエラー時に点灯するエラー表示ランプ１１４とが設けられている。また、円弧状電飾部１１２の下端部に近接するようにして、内部を視認できるよう透明樹脂が取り付けられた小窓１１５が設けられている。なお、本実施形態では、より煌びやかさを醸し出すべく、円弧状電飾部１１２の表面側の多くの領域において、クロムメッキが施されている。
【００７４】
また、窓部１１１の下方には貸球操作部１２０が配設されており、貸球操作部１２０には球貸しボタン１２１と、返却ボタン１２２と、度数表示部１２３とが設けられている。パチンコ機１０の側方に配置されたカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿３７に供給される。返却ボタン１２２は、カードユニットに挿入されたカード等の返却を求める際に操作される。度数表示部１２３はカード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図られる。
【００７５】
図９に示すように、前面枠セット１４の裏側の上部コーナー部には、前記発光手段用の発光基板１２４が取付けられている。また、前面枠セット１４の裏側には、窓部１１１を囲むようにして金属製の各種補強部材が設けられている。詳しくは、前面枠セット１４の裏側にあって窓部１１１の上下左右の外側にはそれぞれ補強用板金１３１，１３２，１３３，１３４が取り付けられている。これら補強用板金１３１〜１３４は相互に接触して連結されているが、前記発光基板１２４を覆うようにして、発光基板１２４と補強用板金１３１との間には、両者の直接の接触を避けるべく、あるいは、発光基板１２４への通電を防止するための樹脂パーツ１３５が設けられている。これにより、発光基板１２４におけるノイズや磁界の発生等の抑制が図られている。
【００７６】
図９の右側の補強用板金１３１にはその中間位置にフック状をなす係合爪１３１ａが設けられており、この係合爪１３１ａは、前面枠セット１４を閉じた状態で内枠１２の孔部１２ａ（図４等参照）に係合されるように構成されている。この構成により、上皿３７を含む形態で前面枠セット１４が構成され、その上下の軸支位置が延長されたとしても、中間位置における前面枠セット１４の浮き上がりが防止できる。それ故、前面枠セット１４を浮かしての不正行為等が抑制されるようになっている。
【００７７】
また、図９の左側の補強用板金１３２には、前面枠セット１４の背面側に延びる上下一対の前面枠セット鉤部１４ａ，１４ｂが一体形成されている。
【００７８】
さらに、上記円弧状電飾部１１２の表面側の多くの領域において、クロムメッキが施されていることについては上述したが、メッキ部分の面積が大きいと、その分帯電されやすい傾向にある。この点、本実施形態では、円弧状電飾部１１２のうち、クロムメッキが施された部分と、その裏側に位置する図９の上側の補強用板金１３３とが、金属製のねじ１３３ａで共締めされている。これにより、メッキが多用されることによる帯電及びこれに起因するノイズ等の不具合の抑制が図られている。
【００７９】
併せて、下側の補強用板金１３４には、前記発射レール７３（図４参照）に対向する位置に樹脂製のレール側壁部材１３６が設けられている。このレール側壁部材１３６は、前面枠セット１４を閉じた際に発射レール７３の側壁となる。故に、発射レール７３から遊技球がこぼれ落ちないようになっている。
【００８０】
加えて、レール側壁部材１３６の近隣には、前面枠セット１４閉時において、上皿３７の最下流部と遊技球発射ユニット７０の前記導入口８５とを連通するべく、球出口１４１が設けられている。下側の補強用板金１３４には、該球出口１４１を開閉可能とするための開閉部材１４２が取付けられている。この開閉部材１４２は、前記球出口１４１よりも上方において前記下側の補強用板金１３４に取付けられたハウジング１４３と、上端が前記ハウジング１４３内に収容され、それ以外の部分が前記下側の補強用板金１３４にほぼ沿うようにして下方に延び、可撓性及びバネ弾性を有する舌片部１４４と、前記ハウジング１４３内において前記舌片部１４４に連結され、ハウジング１４３の内枠１２側（前面枠セット１４閉時における奥側）において上端が回動可能に軸支され、後部が下方に向かって延びる硬質樹脂製の被押圧部１４５とを備えている。前面枠セット１４の開状態にあっては、前記被押圧部１４５は、その先端側（下端側）が奥に向かって幾分突出しており、かつ、前記舌片部１４４の下端は、前記球出口１４１の上部を塞ぐ位置にまで垂下している。つまり、この場合においては上皿３７上の遊技球は舌片部１４４によって流れが規制され、球出口１４１から導入口８５側へと案内されないようになっている。これに対し、前面枠セット１４が閉状態とされると、前記被押圧部１４５が前記内枠１２から前方へ延びる突起（図示略）の先端に当たり、押圧される。すると、これに連結されている舌片部１４４が上方へ引っ張られることとなりスライドさせられる。このスライドにより、球出口１４１が開放され、上皿３７上の遊技球は球出口１４１から導入口８５へ順次と案内されることとなる。
【００８１】
さらに、本実施形態では、前後一対のガラス板を含むガラスユニット１５０（図１参照）が、上記前面枠セット１４の裏面側において取付けられている。本実施形態におけるガラスユニット１５０は、従来の前後一対の矩形状の板ガラスが前後対を為して別々に取着されるものではなく、全体として丸形をなし、アッセンブリ化された上で取付けられている。
【００８２】
前記前面枠セット１４の裏側には、複数箇所において被取付部１８０が設けられ、ガラスユニット１５０の取付部（図示略）が、ネジ等により、被取付部１８０に取着されることで、ガラスユニット１５０が取付固定されている。
【００８３】
このような構成下、本実施の形態では、被取付部１８０に対し、ガラスユニット１５０の取付部に具備された螺着手段を螺合させることで、両者が締結される。かかる締結により、ガラスユニット１５０は前面枠セット１４に対し強固に取付けられている。
【００８４】
図９の説明に戻り、前面枠セット１４の図９の右端部（パチンコ機１０正面から見ると左端部）には、支持金具１８１，１８２が取り付けられている。従って、内枠１２側の支持金具１０１，１０２（図４参照）に対して前面枠セット１４側の支持金具１８１，１８２を組み付けることで、内枠１２に対して前面枠セット１４が開閉可能に装着されるようになる。ここで、支持金具１０１，１０２及び支持金具１８１，１８２の関連性をふまえてより詳しく説明する。支持金具１８１は略棒状をなし、その上部の径が下部の径より太くなっている。上記支持孔１０４の切欠の幅は、前記支持金具１８１の上部の太さより狭く、下部の太さより広くなっている。前面枠セット１４の装着手順としては、まず前記支持金具１８１の下部を前記切欠を介して支持孔１０４に挿入し、次に支持金具１０２の突起軸１０５に支持金具１８２を差込む。そして、前記切欠位置に対応して前記支持金具１８１の上部を位置させることで、支持金具１８１が支持孔１０４から外れなくなり、前面枠セット１４の装着が完了する。
【００８５】
一方、下皿ユニット１３の装着についても説明すると、図１０，１１に示すように、下皿ユニット１３には、上下一対の支持部１８３，１８４が設けられている。従って、内枠１２側の支持金具１０２，１０３（図４参照）に対して下皿ユニット１３側の支持部１８３，１８４を組み付けることで、内枠１２に対して下皿ユニット１３が開閉可能に装着されるようになる。ここで、支持金具１０２，１０３及び支持部１８３，１８４の関連性をふまえてより詳しく説明すると、支持部１８３は板金に形成された孔によって構成され、前記支持金具１０２の下方へ延びる突起軸１０６を挿通可能となっている。また、支持部１８４は、上下方向に出没可能な略逆Ｌ字状をなす突起よりなる。支持部１８４は、内部に設置された図示しないバネによって常には下方へ突出した状態に維持されている。下皿ユニット１３の装着手順としては、まず、前記支持部１８３たる孔に、前記支持金具１０２の突起軸１０６を差し込む。そして、前記支持部１８４をバネの付勢力に抗して没入状態としておいて、支持部１８４の先端と支持金具１０３の図示しない支持孔とを位置合わせし、その後支持部１８４を突出状態として支持孔にこれを嵌め込むことで、下皿ユニット１３の装着が完了する。
【００８６】
次に、内枠１２の施錠機構、並びに、前面枠セット１４及び下皿ユニット１３の施錠機構について説明する。本実施形態では、前面枠セット１４の施錠機構（前扉施錠機構）及び下皿ユニット１３の施錠機構は、内枠１２の施錠機構（内枠施錠機構）と一体的となっている。つまり、本実施形態における各施錠機構は、単一の施錠装置Ｇ１によって具現化されている。なお、内枠１２の施錠状態及び前面枠セット１４の施錠状態は、内枠１２の右側部に設けられたシリンダ錠１９６への所定のキー操作によってそれぞれ解除されるようになっている。
【００８７】
ここで、本実施形態の施錠装置Ｇ１の構成について図１２乃至図１６を参照して説明する。図１２は施錠装置Ｇ１の正面図を、図１３はその右側面図を、図１４はその左側面図を各々示している。さらに、図１５は施錠装置Ｇ１の正面側の斜視図を、図１６は施錠装置Ｇ１の背面側の斜視図をそれぞれ示している。施錠装置Ｇ１を構成する縦長の基枠１８６は、取付板１８７と支持板１８８とを備えており、これらが一体となって断面略Ｌ字状をなしている。本実施の形態の施錠装置Ｇ１は、その取付板１８７が内枠１２の内側に縦方向に取付けられている。
【００８８】
なお、基枠１８をはじめとして、摺動杆１９１など施錠装置Ｇ１を構成する各種構成部材は、剛性の高い冷間圧延鋼板（ＳＰＣＣ等）、電気亜鉛めっき鋼板（ＳＥＣＣ等）などにより形成されている。
【００８９】
前記取付板１８７には複数の取付孔が穿設され、さらにその上部と下部に、矩形状の挿入孔１８９，１９０が形成されている。該挿入孔１８９，１９０には、前面枠セット１４の閉時において前面枠セット１４の背面側に延びる前面枠セット鉤部１４ａ，１４ｂ（図２参照）が進入するようになっている。
【００９０】
支持板１８８の内側には、摺動杆１９１が上下に摺動可能に配設されている。摺動杆１９１、並びに、基枠１８６の上部及び下部に設けられた鉤部材１９２，１９３は、図示しない上下一対のコイルバネにより、常には下方位置に位置するよう引っ張られている。そして、鉤部材１９２，１９３は、前記摺動杆１９１が上方へ移動したときのみ連動して摺動させられるようになっている。つまり、各々の鉤部材１９２，１９３は、独立して上方に移動可能となっており、針金などで上下の鉤部材１９２，１９３を上方に移動させようとする場合（不正行為が行われる場合）は、両方の鉤部材１９２，１９３に針金を引っ掛けて上に引かなければならない。つまり、一方のみの鉤部材１９２または１９３を引っ掛けて上に引いただけでは、不正解錠をすることができないように構成されている。
【００９１】
なお、内枠１２の施錠状態（内枠施錠状態）にあっては、外枠１１の爪馬１７，１８に対し鉤部材１９２，１９３が係合状態となるのであるが、両鉤部材１９２，１９３が一体に動く構成では、製造誤差や組付け誤差等により、鉤部材１９２，１９３のうち一方が爪馬１７，１８に当接した状態となった際に、他方が当接せず、浮き上がった状態となるおそれがある。これに対し、鉤部材１９２，１９３が独立して動くことにより、このような不具合を解消することができる。ひいては、後述するアース経路がより確実に形成されることとなる。
【００９２】
鉤部材１９２，１９３が内枠用係合部に相当し、爪馬１７，１８が内枠用被係合部に相当する。
【００９３】
また、前面枠セット施錠機構を構成する前面枠セット施錠部材１９４，１９５は、金属板を断面コ字状に折曲げることにより形成されており、そのうち取付板１８７側の面には矩形状の係合孔１９４ａ，１９５ａが形成され、当該係合孔１９４ａ，１９５ａが取付板１８７に形成された前記挿入孔１８９，１９０に相対するよう配置されている。また、前面枠セット施錠部材１９４，１９５及び取付板１８７間には図示しない上下一対のコイルばねが設けられており、前面枠セット施錠部材１９４，１９５が、常には上方位置に位置するよう引っ張られている。
【００９４】
そして、前面枠セット１４が閉じられるときには、前記前面枠セット鉤部１４ａ，１４ｂがその１９４ａ，１９５ａに進入する。このとき、前面枠セット施錠部材１９４，１９５は、前記鉤部１４ａ，１４ｂによって押され、前記コイルばねの引張力に抗して一旦下方に摺動し、その後、コイルばねの引張力で元の位置に戻り、前面枠セット鉤部１４ａ，１４ｂと係合する（前扉施錠状態）。また、前面枠セット施錠部材１９４，１９５は、解錠時には、摺動杆１９１の下方への摺動に伴って下方に摺動する。これにより、前面枠セット鉤部１４ａ，１４ｂと前面枠セット施錠部材１９４，１９５との係合が解除されるようになっている。
【００９５】
前面枠セット施錠部材１９４，１９５が前扉用係合部に相当し、前面枠セット鉤部１４ａ，１４ｂが前扉用被係合部に相当する。
【００９６】
シリンダ錠１９６の錠軸には、摺動杆１９１に係合されるカム板１９６ａが取付けられている。そして、キー操作によってキーが図１２の時計方向に回動された場合、摺動杆１９１が上方に摺動させられる。これにより、鉤部材１９２，１９３が上方に摺動させられる。このとき、鉤部材１９２，１９３と外枠１１側の爪馬１７，１８との係合が解除され、内枠１２が解錠される（内枠解錠状態）。
【００９７】
一方、キー操作によってキーが図１２の反時計方向に回動させられた場合、摺動杆１９１が下方に摺動させられ、前面枠セット施錠部材１９４，１９５が下方に摺動させられる。このとき、前面枠セット施錠部材１９４，１９５と前面枠セット１４側の前面枠セット鉤部１４ａ，１４ｂとの係合が解除され、前面枠セット１４が解錠されることとなる（前扉解錠状態）。
【００９８】
さらに、本実施形態では、下皿ユニット施錠機構を構成する下皿ユニット施錠部材１９７が前記支持板１８８に沿って摺動可能に取付けられている。下皿ユニット施錠部材１９７は、上下一対の下皿ユニット鉤部１９７ａ，１９７ｂと、最上部に位置する操作部１９８とを備えている。下皿ユニット施錠部材１９７は、図示しないコイルばねにより、常には上方位置に位置するよう引張られている。これにより、下皿ユニット１３の閉状態にあっては、下皿ユニット１３の背面側に設けられた係合部１３ａ，１３ｂ（図２等参照）に下皿ユニット鉤部１９７ａ，１９７ｂが係合し、その係合状態が維持される。下皿ユニット施錠部材１９７の操作部１９８は、前記前面枠セット１４を開状態とした場合にのみ露出し、当該場合に限り操作可能となっている。そして、該操作部１９８を前記コイルばねの引張力に抗して押下げることにより、前記係合状態が解除され、下皿ユニット１３が解錠されることとなる。換言すれば、それまで閉状態にある下皿ユニット１３は、前面枠セット１４が開かれた場合に限り、その解錠が許容されるようになっている。
【００９９】
なお、基枠１８６、摺動杆１９１、鉤部材１９２，１９３、前面枠セット施錠部材１９４，１９５、下皿ユニット施錠部材１９７などの各構成部材は、相互に接触しており、施錠装置Ｇ１全体は常に電気的に導通した状態となっている。
【０１００】
次に、パチンコ機１０の背面の構成を詳しく説明する。図１７はパチンコ機１０の背面図である。
【０１０１】
先ずはじめに、パチンコ機１０の背面構成について全体の概要を説明する。パチンコ機１０にはその背面（実際には内枠１２及び遊技盤４２の背面）において、各種制御基板が上下左右に並べられるようにして又は前後に重ねられるようにして配置されており、さらに、遊技球を払出す払出機構や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤４２の裏面に装着するようにしている。この場合、主基板と音声ランプ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。
【０１０２】
また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【０１０３】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１２又は遊技盤４２の裏面に対して開閉できる構成となっている。これは、各ユニット２０１〜２０３やその他構成が前後に重ねて配置されても、隠れた構成等を容易に確認することを可能とするための工夫でもある。
【０１０４】
実際には、図１８の概略図に示すように各ユニット２０１〜２０３が配置され、取り付けられている。なお図１８において、略Ｌ字状をなす第１制御基板ユニット２０１はパチンコ機１０のほぼ中央に配置され、その下方に第２制御基板ユニット２０２が配置されている。また、第１制御基板ユニット２０１に一部重なる領域に、裏パックユニット２０３が配置されている。
【０１０５】
詳しくは、第１制御基板ユニット２０１には、パチンコ機１０の背面から見て左端部に支軸部Ｍ１が設けられ、その支軸部Ｍ１による軸線Ａを中心に当該第１制御基板ユニット２０１が開閉可能となっている。また、第１制御基板ユニット２０１には、その右端部（すなわち支軸部と反対側、さらに言えば開放端側）にナイラッチ等よりなる締結部Ｍ２が設けられると共に上端部に係止爪部Ｍ３が設けられており、これら締結部Ｍ２及び係止爪部Ｍ３によって第１制御基板ユニット２０１が機体に対して固定保持されるようになっている。
【０１０６】
また、第２制御基板ユニット２０２には、パチンコ機１０の背面から見て右端部に支軸部Ｍ４が設けられ、その支軸部Ｍ４による軸線Ｂを中心に当該第２制御基板ユニット２０２が開閉可能となっている。また、第２制御基板ユニット２０２には、その左端部（すなわち支軸部と反対側、さらに言えば開放端側）にナイラッチ等よりなる締結部Ｍ５が設けられており、この締結部Ｍ５によって第２制御基板ユニット２０２が機体に対して固定保持されるようになっている。
【０１０７】
さらに、裏パックユニット２０３には、パチンコ機１０の背面から見て右端部に支軸部Ｍ６が設けられ、その支軸部Ｍ６による軸線Ｃを中心に当該裏パックユニット２０３が開閉可能となっている。また、裏パックユニット２０３には、その左端部（すなわち支軸部と反対側、さらに言えば開放端側）にナイラッチ等よりなる締結部Ｍ７が設けられると共に上端部及び下端部に対応してそれぞれ回動式の係止部Ｍ８，Ｍ９が（機体側に）設けられており、これら締結部Ｍ７及び係止部Ｍ８，Ｍ９によって裏パックユニット２０３が機体に対して固定保持されるようになっている。
【０１０８】
この場合、各ユニット２０１〜２０３の展開方向は同一でなく、第１制御基板ユニット２０１は、パチンコ機１０の背面から見て左開きになるのに対し、第２制御基板ユニット２０２及び裏パックユニット２０３は、同右開きになるよう構成されている。
【０１０９】
一方、図１９は、内枠１２に遊技盤４２を組み付けた状態でその構成を示す背面図である。また、図２０は内枠１２を後方より見た斜視図である。ここでは図１９及び図２０を用いて内枠１２及び遊技盤４２の裏面構成を説明する。
【０１１０】
遊技盤４２は、樹脂ベース４０に囲まれた四角枠状の設置領域に設置され、内枠１２に設けられた複数（本実施形態では４カ所）の係止固定具２１１，２１２によって脱落しないように固定されている。係止固定具２１１，２１２は手動で回動でき、固定位置（ロック位置）と固定解除位置（アンロック位置）とを切り替えることができるよう構成されており、図１９にはロック状態を示す。遊技盤４２の左右３カ所の係止固定具２１１は金属片を折り曲げ形成したＬ型の金具であり、遊技盤４２の固定状態で内枠１２外方へ張り出さないよう構成されている。なお、遊技盤４２の下部１カ所の係止固定具２１２は樹脂製のＩ型の留め具である。
【０１１１】
遊技盤４２の中央には可変表示装置ユニット４７が配置されている。可変表示装置ユニット４７においては、センターフレーム５７を背後から覆う樹脂製（例えばＡＢＳ製）のフレームカバー２１３が後方に突出して設けられており、そのフレームカバー２１３の後端に、液晶表示装置たる第１図柄表示装置５２と表示制御装置５５とが前後に重ねられた状態で着脱可能に取り付けられている。フレームカバー２１３内には、センターフレーム５７に内蔵されたＬＥＤ等を駆動するためのＬＥＤ制御基板などが配設されている。
【０１１２】
また、遊技盤４２の裏面には、可変表示装置ユニット４７を取り囲むようにして裏枠セット２１５が取り付けられている。この裏枠セット２１５は、遊技盤４２の裏面に張り付くようにして設けられる薄型の樹脂成形品（例えばＡＢＳ製）であって、各種入賞口に入賞した遊技球を回収するための遊技球回収機構が形成されている。詳しくは、裏枠セット２１５の下方には、前述した一般入賞口４３、可変入賞装置４４、第１契機対応口４５の遊技盤開口部に対応し、且つ下流側で１カ所に集合する回収通路２１６が形成されている。また、遊技盤４２の下方には、内枠１２にやはり樹脂製（例えばポリカーボネイト樹脂製）の排出通路盤２１７が取り付けられており、該排出通路盤２１７には、排出球をパチンコ機１０外部へ案内するための排出通路２１８が形成されている。従って、図１９に仮想線で例示するように、一般入賞口４３等に入賞した遊技球は何れも裏枠セット２１５の回収通路２１６を介して集合し、さらに排出通路盤２１７の排出通路２１８を介してパチンコ機１０外部に排出される。なお、アウト口４８も同様に排出通路２１８に通じており、何れの入賞口にも入賞しなかった遊技球も排出通路２１８を介してパチンコ機１０外部に排出される。
【０１１３】
上記構成では、遊技盤４２の下端面を境界にして、上方に裏枠セット２１５（回収通路２１６）が、下方に排出通路盤２１７（排出通路２１８）が設けられており、排出通路盤２１７が遊技盤４２に対して前後方向に重複（オーバーラップ）せずに設けられている。従って、遊技盤４２を内枠１２から取り外す際において、排出通路盤２１７が遊技盤４２の取り外しの妨げになるといった不都合が生じることもない。
【０１１４】
なお、排出通路盤２１７は、パチンコ機前面の上皿３７の丁度裏側辺りに設けられており、上皿３７の排出口３７ｂより針金等を差し込み、さらにその針金等を内枠１２と排出通路盤２１７との隙間を通じて遊技領域側に侵入させるといった不正行為が考えられる。そこで本パチンコ機１０では、排出通路盤２１７の上皿３７の丁度裏側辺りに、内枠１２にほぼ一体的に重なり合うようにしてパチンコ機前方に延びるプレート２１９が設けられている。従って、内枠１２と排出通路盤２１７との隙間から針金等を侵入させようとしてもそれがプレート２１９にて阻害され、遊技領域にまで針金等を侵入させることが非常に困難となる。結果として、針金等を利用して可変入賞装置４４（大入賞口）を強制的に開放する等の不正行為を防止することができる。
【０１１５】
また、遊技盤４２の裏面には、各種入賞口などの遊技球の通過を検出するための入球検出手段などが設けられている。具体的には、遊技盤４２表側の一般入賞口４３に対応する位置には入賞口スイッチ２２１が設けられ、可変入賞装置４４には、カウントスイッチ２２３が設けられている。カウントスイッチ２２３は、可変入賞装置４４に入賞した入賞球をカウントするスイッチである。また、第１契機対応口４５に対応する位置には第１契機対応口（始動口）スイッチ２２４が設けられ、第２契機対応口４６に対応する位置には第２契機対応口（ゲート）スイッチ２２５が設けられている。
【０１１６】
入賞口スイッチ２２１及び第２契機対応口（ゲート）スイッチ２２５は、後述する電気配線（ケーブルコネクタ）を介して盤面中継基板２２６に接続され、さらにこの盤面中継基板２２６が後述する主基板（主制御装置２６１）に電気配線を介して接続されている。また、カウントスイッチ２２３は電気配線を介して大入賞口中継基板２２７に接続され、さらにこの大入賞口中継基板２２７がやはり電気配線を介して主基板に接続されている。これに対し、第１契機対応口（始動口）スイッチ２２４は中継基板を経ることなく直接主基板に電気配線を介して接続されている。
【０１１７】
その他図示は省略するが、可変入賞装置４４には、大入賞口を開放するための大入賞口ソレノイドが設けられ、第１契機対応口４５には、電動役物を開放するための第１契機対応口（始動口）ソレノイドが設けられている。
【０１１８】
上記入球検出手段にて各々検出された検出結果は、後述する主基板に取り込まれ、該主基板よりその都度の入賞状況に応じた払出指令（遊技球の払出個数）が払出制御基板に送信される。そして、該払出制御基板の出力により所定数の遊技球の払出が実施される。
【０１１９】
また、裏枠セット２１５には、第１制御基板ユニット２０１を取り付けるための取付機構が設けられている。具体的には、この取付機構として、遊技盤４２の裏面から見て左下隅部には上下方向に延びる支持金具２３１が設けられ、この支持金具２３１には同一軸線上に上下一対の支持孔が形成されている。その他、遊技盤４２の右下部において符号２３２は上下一対の被締結孔（ナイラッチ孔）であり、同左上部において符号２３３は係止爪片である。
【０１２０】
また、内枠１２の裏面には、第２制御基板ユニット２０２や裏パックユニット２０３を取り付けるための取付機構が設けられている。具体的には、内枠１２にはその右端部に長尺状の支持金具２３５が取り付けられており、その構成を図２１に示す。図２１に示すように、支持金具２３５は長尺板状の金具本体２３６を有し、その金具本体２３６より起立させるようにして、下方２カ所に第２制御基板ユニット用の支持孔部２３７が形成されると共に、上方２カ所に裏パックユニット用の支持孔部２３８が形成されている。それら支持孔部２３７，２３８にはそれぞれ同軸の支持孔が形成されている。その他、図１９，２０に示すように、第２制御基板ユニット用の取付機構として、内枠１２には、遊技盤設置領域よりも下方左端部に上下一対の被締結孔（ナイラッチ孔）２３９が設けられている。また、裏パックユニット用の取付機構として、内枠１２には、遊技盤設置領域の左端部に上下一対の被締結孔（ナイラッチ孔）２４０が設けられている。但し、第２制御基板ユニット用の支持金具と裏パックユニット用の支持金具とを各々個別の部材で設けることも可能である。符号２４１，２４２，２４３は、遊技盤４２との間に裏パックユニット２０３を挟み込んで支持するための回動式の固定具である。
【０１２１】
その他、内枠１２の背面構成において、遊技盤４２の右下部には、後述する払出機構より払出される遊技球を上皿３７、下皿３１又は排出通路２１８の何れかに振り分けるための遊技球分配部２４５が設けられている。
【０１２２】
遊技球分配部２４５の開口部２４５ａは上皿３７に通じ、開口部２４５ｂは下皿３１に通じ、開口部２４５ｃは排出通路２１８に通じる構成となっている（図２０参照）。より詳しくは、図２に示すように、樹脂ベース４０には、遊技球分配部２４５の開口部２４５ａと上皿３７の排出口３７ｂとを連通させる第１払出通路２４６が設けられ、遊技球分配部２４５の開口部２４５ｂと下皿３１の排出口３０とを連通させる第２払出通路２４７が設けられている。
【０１２３】
なお、従来、遊技球分配部２４５に相当する部分が裏パックユニット２０３側に設けられていたため、上皿３７の排出口３７ｂを通じて裏パックユニット２０３を押すことにより、内枠１２と遊技球分配部２４５に相当する部分との間に隙間が生じ、その隙間を通じて針金等を差し込み、内部機器を操作するといった不正行為が考えられた。そこで本パチンコ機１０では、遊技球分配部２４５として内枠１２側に設け、なおかつ固定手段によって固定することにより、そのような不正行為を防止している。さらに、遊技球分配部２４５の上端面は遊技盤４２の下端面が設置される高さ位置に合わせて形成されており、遊技盤４２の取外しの妨げとならないように工夫されている。
【０１２４】
加えて、遊技球分配部２４５は、樹脂ベース４０の本体部と同様に絶縁性を有する樹脂材料（例えば、後述する帯電防止材ＡからなるＡＢＳ樹脂等）により構成されており、払出機構部３５２（払出桶３５９）と、上皿３７や下皿３１との電気的導通が遮断された状態となっている。また、上述のとおり、遊技球分配部２４５が裏パックユニット２０３（払出機構部３５２）側に設けられていないため、構造的にも電気的導通を遮断しやすい。
【０１２５】
次に、第１制御基板ユニット２０１を図２２を用いて説明する。図２２は第１制御基板ユニット２０１の正面図である。
【０１２６】
第１制御基板ユニット２０１は略Ｌ字状をなす取付台２５１を有し、この取付台２５１に主制御装置２６１と音声ランプ制御装置２６２とが搭載されている。ここで、主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３に収容されて構成されている。なお、基板ボックス２６３は、略直方体形状のボックスベースと該ボックスベースの開口部を覆うボックスカバーとを備えている。これらボックスベースとボックスカバーとは封印ユニット２６４（封印手段）によって開封不能に連結され、これにより基板ボックス２６３が封印されている。
【０１２７】
封印手段としての封印ユニット２６４はボックスベースとボックスカバーとを開封不能に連結する構成であれば任意の構成が適用できるが、ここでは図２２等に示すように、５つの封印部材が連結された構成となっており、この封印部材の長孔に係止爪を挿入することでボックスベースとボックスカバーとが開封不能に連結されるようになっている。封印ユニット２６４による封印処理は、その封印後の不正な開封を防止し、また万一不正開封が行われてもそのような事態を早期に且つ容易に発見可能とするものであって、一旦開封した後でも再度開封・封印処理を行うこと自体は可能である。すなわち、封印ユニット２６４を構成する５つの封印部材のうち、少なくとも一つの封印部材の長孔に係止爪を挿入することにより封印処理が行われる。そして、収容した主基板の不具合などにより基板ボックス２６３を開封する場合には、係止爪が挿入された封印部材と他の封印部材との連結を切断する。その後、再度封印処理する場合は他の封印部材の長孔に係止爪を挿入する。基板ボックス２６３の開封を行った旨の履歴を当該基板ボックス２６３に残しておけば、基板ボックス２６３を見ることで不正な開封が行われた旨を容易に発見できる。
【０１２８】
但し、主基板には、上記各ケーブルコネクタのコネクタを接続するための端子部が設けられており、該端子部は、基板ボックス２６３から露出状態となっている。かかる端子部の露出は、他の基板及び基板ボックスについても同様である。
【０１２９】
また、音声ランプ制御装置２６２は、例えば主制御装置２６１（主基板）又は表示制御装置５５からの指示に従い音声やランプ表示の制御を司るＣＰＵや、その他ＲＯＭ、ＲＡＭ、各種ポート等を含む音声ランプ制御基板を具備しており、この音声ランプ制御基板が透明樹脂材料等よりなる基板ボックス２６５に収容されて構成されている。音声ランプ制御装置２６２上には電源中継基板２６６が搭載されており、後述する電源基板より供給される電源がこの電源中継基板２６６を介して表示制御装置５５及び音声ランプ制御装置２６２に出力されるようになっている。
【０１３０】
取付台２５１は、樹脂材料（例えばポリカーボネイト樹脂製）にて成形され、その表面に平坦状をなす２つの基板搭載面が設けられている。これら基板搭載面は直交する向きに延び、前後方向に段差をもって形成されている。
【０１３１】
そして、一方の基板搭載面上に主制御装置２６１（主基板）が横長の向きに配置されると共に、他方の基板搭載面上に音声ランプ制御装置２６２（音声ランプ制御基板）が縦長の向きに配置されるようになっている。特に、主制御装置２６１は、パチンコ機１０裏面から見て手前側に配置され、音声ランプ制御装置２６２はその奥側に配置される。この場合、基板搭載面が前後方向に段差をもって形成されているため、これら基板搭載面に主制御装置２６１及び音声ランプ制御装置２６２を搭載した状態において各制御装置２６１，２６２はその一部を前後に重ねて配置されるようになる。つまり、主制御装置２６１はその一部（本実施形態では１／３程度）が浮いた状態で配置されるようになる。また、各制御装置が効率良く設置できるようになる。また、第１制御基板ユニット２０１を遊技盤４２に装着した状態では、基板搭載面の後方にスペースが確保され、可変入賞装置４４やその電気配線等が無理なく設置できるようになっている。
【０１３２】
取付台２５１には、図２２等の左端面に上下一対の支軸２５６が設けられており、この支軸２５６を図１９に示す支持金具２３１に取り付けることで、第１制御基板ユニット２０１が遊技盤４２に対して開閉可能に支持される。また、取付台２５１には、右端部に締結具として上下一対のナイラッチ２５７が設けられると共に上端部に長孔２５８が設けられており、ナイラッチ２５７を図１９等に示す被締結孔２３２にはめ込むと共に、長孔２５８に図１９等に示す係止爪片２３３を係止させることで、第１制御基板ユニット２０１が遊技盤４２に固定されるようになる。なお、支持金具２３１及び支軸２５６が前記図１８の支軸部Ｍ１に、被締結孔２３２及びナイラッチ２５７が締結部Ｍ２に、係止爪片２３３及び長孔２５８が係止爪部Ｍ３に、それぞれ相当する。
【０１３３】
次に、第２制御基板ユニット２０２を図２３を用いて説明する。図２３は第２制御基板ユニット２０２の正面図である。
【０１３４】
第２制御基板ユニット２０２は横長形状をなす取付台３０１を有し、この取付台３０１に払出制御装置３１１、発射制御装置３１２、電源装置３１３及びカードユニット接続基板３１４が搭載されている。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル３５の操作に従い発射装置７２等の制御が行われ、電源装置３１３の電源基板により、各種制御装置等で要する所定の電源電圧が生成され出力される。カードユニット接続基板３１４は、パチンコ機前面の貸球操作部１２０及び図示しないカードユニットに電気的に接続され、遊技者による球貸し操作の指令を取り込んでそれを払出制御装置３１１に出力するものである。なお、カードユニットを介さずに球貸し装置等から上皿に遊技球が直接貸し出される現金機では、カードユニット接続基板３１４を省略することも可能である。
【０１３５】
上記払出制御装置３１１、発射制御装置３１２、電源装置３１３及びカードユニット接続基板３１４は、透明樹脂材料等よりなる基板ボックス３１５，３１６，３１７，３１８にそれぞれ収容されて構成されている。特に、払出制御装置３１１では、前述した主制御装置２６１と同様、基板ボックス３１５を構成するボックスベースとボックスカバーとが封印ユニット３１９（封印手段）によって開封不能に連結され、これにより基板ボックス３１５が封印されている。
【０１３６】
払出制御装置３１１には状態復帰スイッチ３２１が設けられている。例えば、払出モータの球詰まり等、払出エラーの発生時において状態復帰スイッチ３２１が押下されると、払出モータが正逆回転され、球詰まりの解消（正常状態への復帰）が図られるようになっている。
【０１３７】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できるようになっている。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【０１３８】
取付台３０１は樹脂成形品よりなり、その表面に平坦状な基板搭載面が設けられている。そして、発射制御装置３１２、電源装置３１３及びカードユニット接続基板３１４は取付台３０１の基板搭載面に横並びの状態で直接搭載され、電源装置３１３の基板ボックス３１７上に払出制御装置３１１が取付台３０３を介して搭載されている。
【０１３９】
また、取付台３０１には、図２３の右端部に上下一対の支軸３０５が設けられており、この支軸３０５を図１９等に示す支持孔部２３７に上方から挿通させることで、第２制御基板ユニット２０２が内枠１２に対して開閉可能に支持される。また、取付台３０１には、左端部に締結具として上下一対のナイラッチ３０６が設けられており、ナイラッチ３０６を図１９等に示す被締結孔２３９にはめ込むことで、第２制御基板ユニット２０２が内枠１２に開閉不能に固定されるようになる。なお、支持孔部２３７及び支軸３０５が前記図１８の支軸部Ｍ４に、被締結孔２３９及びナイラッチ３０６が締結部Ｍ５に、それぞれ相当する。
【０１４０】
次に、裏パックユニット２０３の構成を説明する。裏パックユニット２０３は、樹脂成形された裏パック３５１と遊技球の払出機構部３５２とを一体化したものであり、パチンコ機１０の背面から見た背面図を図２４に示し、分解斜視図を図２５に示す。
【０１４１】
裏パック３５１は例えばＡＢＳ樹脂により一体成形されており、略平坦状のベース部３５３と、パチンコ機後方に突出し横長の略直方体形状をなす保護カバー部３５４とを有する。保護カバー部３５４は左右側面及び上面が閉鎖され且つ下面のみが開放された形状をなし、少なくとも可変表示装置ユニット４７を囲むのに十分な大きさを有する（但し本実施形態では、前述の音声ランプ制御装置２６２も合わせて囲む構成となっている）。保護カバー部３５４の背面には多数の通気孔３５４ａが設けられている。この通気孔３５４ａは各々が長孔状をなし、それぞれの通気孔３５４ａが比較的近い位置で隣り合うよう設けられている。従って、隣り合う通気孔３５４ａ間にある樹脂部分を切断することにより、裏パック３５１の背面を容易に開口させることができる。つまり、通気孔３５４ａ間の樹脂部分を切断してその内部の表示制御装置５５等を露出させることで、所定の検定等を容易に実施することができる。
【０１４２】
また、ベース部３５３には、保護カバー部３５４を迂回するようにして払出機構部３５２が配設されている。
【０１４３】
払出機構部３５２は、裏パック３５１の最上部にて遊技ホールの島設備から供給される遊技球を貯留するタンク３５５と、当該タンク３５５の下方にてタンク３５５から導出される遊技球を整列させつつ流下させるタンクレール３５６と、当該タンクレール３５６の下流側に連設されたケースレール３５７と、当該ケースレール３５７の下流側にて遊技球の払出しを行う払出装置３５８と、当該払出装置３５８から払出された遊技球を内枠１２（樹脂ベース４０）の遊技球分配部２４５へ導く払出桶３５９とを有してなる。ここで、タンクレール３５６が上流側レール部材に相当し、ケースレール３５７が下流側レール部材に相当する。従って、タンクレール３５６及びケースレール３５７によって本実施形態における案内レールが構成される。
【０１４４】
ここで、払出機構部３５２の各構成部についてより詳細に説明する。
【０１４５】
タンク３５５は、前後方向よりも左右方向に長く、上方に開口した略箱状に構成されており、その内部に遊技球を貯留可能に構成されている。
【０１４６】
図２６に示すように、タンク３５５の底部３５５ａは、パチンコ機１０の背面側から見て右側から左側に向けて下方傾斜している。底部３５５ａの下流部である左端には、遊技球をタンクレール３５６へ導出するための略矩形状の導出口３５５ｂが形成されている。
【０１４７】
また、図２５に示すように、タンク３５５の上流側には、遊技球の貯留量を検出する貯留検出スイッチ３５５ｃが取着されている。貯留検出スイッチ３５５ｃは、タンク３５５の上流側まで遊技球が貯留されているか否か（タンク３５５がほぼ満タンであるか否か）を遊技球の接触により検知するよう構成されている。そして、貯留検出スイッチ３５５ｃにより遊技球が検知されない場合には、島設備側の供給機構からタンク３５５に遊技球が供給され、貯留検出スイッチ３５５ｃにより遊技球が検知されると、遊技球の供給が停止するようになっている。
【０１４８】
さらに、詳しくは後述するが、タンク３５５には、導電板４０５が取付けられている。
【０１４９】
次にタンクレール３５６の構成ついて説明する。図２６に示すように、タンクレール３５６は上方に開口した長尺樋状をなすレール本体３６１を有している。
【０１５０】
レール本体３６１は、保護カバー部３５４の上辺部に沿って左右方向に延在し、かつ、その底部がパチンコ機１０の背面側から見て左側から右側に向けて下方傾斜している。
【０１５１】
レール本体３６１の上流部である左端には、球受部３６２が設けられている。この球受部３６２により、タンク３５５より落下してきた遊技球が自重によって下流側へ流れていき、タンク３５５から導出される遊技球を円滑にレール本体３６１内に取り込むことができる。
【０１５２】
また、レール本体３６１には長手方向に延びる仕切壁３６３が設けられており、この仕切壁３６３により遊技球が二手に分流されるようになっている。仕切壁３６３により仕切られた２条の球通路は遊技球の直径よりも僅かに幅広となっている。なお、図示は省略するが、仕切壁３６３により仕切られた各球通路の底面には、遊技球の誘導性を高めたり球詰まりの抑制を図るための１筋又は２筋の突条が設けられると共に、その突条の側方に球詰まりを解消するための開口部などが設けられている。
【０１５３】
また、タンクレール３５６の背面側には、当該タンクレール３５６に振動を付加するためのバイブレータ３６０が取付けられている。従って、仮にタンクレール３５６付近で球詰まりが生じた際、バイブレータ３６０が駆動されることで球詰まりが解消されるようになっている。
【０１５４】
また、図２５に示すように、レール本体３６１には、その下流側半分程度の天井部分を覆うようにして整流板３６７が配設されている。この整流板３６７は、下流側になるほどタンクレール３５６内の球通路高さを制限するよう弓なりに反った形状をしており、さらにその下面には長手方向に延びる凸部が形成されている。これにより、タンクレール３５６内を流れる各遊技球は最終的には上下に積み重なることなく下流側に流出する。従って、タンクレール３５６に多量の遊技球群が流れ込んできても、遊技球の噛み込みが防止され、タンクレール３５６内における球詰まりが解消されるようになっている。整流板３６７は着脱可能に設けられており、当該整流板３６７を取り外すことによりタンクレール３５６内のメンテナンスが容易に実施できるようになっている。なお、整流板３６７は透明のポリカーボネイト樹脂により成形されているため、わざわざ整流板３６７を取り外さなくとも、タンクレール３５６内の状況を確認することができ、メンテナンス時等において整流板３６７を取り外す手間を省くことができる。
【０１５５】
ケースレール３５７は、保護カバー部３５４の側方にて上下方向に沿って配設されており、その内部に遊技球を流下させる球通路を有している。
【０１５６】
また、ケースレール３５７には、球切れ検出スイッチ３５７ａが設けられている。これにより、ケースレール３５７の球通路内に遊技球が整列した状態で停留している場合には、所定の可動片が遊技球によって押圧されて球切れ検出スイッチ３５７ａがオン状態となる。一方、球通路内に遊技球がなくなると、球切れ検出スイッチ３５７ａがオフ状態となる。
【０１５７】
また、ケースレール３５７には、球抜きボタン３５７ｂが設けられるとともに、球抜き通路（図示略）が設けられている。当該球抜き通路の下流側は、上記遊技球分配部２４５を介して排出通路２１８に通じており、タンク３５５及びタンクレール３５６の球抜きを行う際には、当該球抜き通路を介して遊技球がパチンコ機１０外部へ排出される。
【０１５８】
払出装置３５８は、払出モータ３５８ａ、スプロケット３５８ｂ及び払出カウントスイッチ３５８ｃを備えている。
【０１５９】
払出モータ３５８ａは、ステッピングモータであり、本実施形態では１２０ステップ（パルス）の駆動信号を与えることによりスプロケット３５８ｂを１回転するように構成されている。つまり、３０パルスの駆動信号でスプロケット３５８ｂが４５度変化するというように、駆動信号の数に応じた回転量でスプロケット３５８ｂを回転させるように構成されている。そして、この駆動信号によって払出モータ３５８ａの回転量を制御し、遊技球の払出個数を制御している。
【０１６０】
また、スプロケット３５８ｂの周面には複数の凸部が等間隔で設けられ、各凸部間には遊技球が入り込む球受凹部がそれぞれ設けられている。そして、スプロケット３５８ｂは、払出装置３５８の球通路内に凸部が突出するように配設され、払出モータ３５８ａにより回転駆動される。これにより、球払出動作の停止時には、球通路内に遊技球が停留され、球払出動作時にはスプロケット３５８ｂが時計回り方向（正方向）に回転し、遊技球が一個ずつ払出される。なお、スプロケット３５８ｂには所定角度間隔（本実施形態では４５度、つまり３０ステップ分）毎にスリットが形成されており、当該スリット位置を図示しないフォトセンサにより検知することより、スプロケット３５８ｂの回転量を検出することができるようになっている。
【０１６１】
払出カウントスイッチ３５８ｃは、スプロケット３５８ｂより下流側に配設されており、スプロケット３５８ｂにより払出された遊技球を検出するものである。本実施形態では、払出カウントスイッチ３５８ｃとして、遊技球の通過可能な通過孔が設けられた通過型の近接センサを採用している。もちろんフォトセンサ等でもよい。遊技球は一個ずつ排出されるので払出カウントスイッチ３５８ｃからの検出信号をカウントすることにより、実際に払出された球数を把握することができる。
【０１６２】
そして、払出モータ３５８ａの駆動により必要個数の遊技球の払出しが適宜行われ、払出された遊技球は、払出カウントスイッチ３５８ｃにより検出された後、払出桶３５９を介して遊技球分配部２４５へ導かれ、当該遊技球分配部２４５を介して上皿３７又は下皿３１へ払出される。
【０１６３】
払出桶３５９は、第１導出通路３５９ａと第２導出通路３５９ｂとを備えている。ここで、第１導出通路３５９ａは、上記遊技球分配部２４５の開口部２４５ａ，２４５ｂと、払出装置３５８とを連通するよう構成されている。第２導出通路３５９ｂは、上記遊技球分配部２４５の開口部２４５ｃと、ケースレール３５７の球抜き通路とを連通するよう構成されている。これにより、払出装置３５８から導出される遊技球は、第１導出通路３５９ａを介して上皿３７や下皿３１へと導かれ、ケースレール３５７の球抜き通路から導出される遊技球は、第２導出通路３５９ｂを介して排出通路２１８へ、ひいてはパチンコ機１０外部へと排出される。
【０１６４】
なお、払出桶３５９の第１導出通路３５９ａは、遊技球が遊技球分配部２４５の開口部２４５ａへ向かうように形成されている。これにより、通常時、遊技球は下皿３１よりも上皿３７へ優先的に導かれるようになっている。そして、上皿３７及びこれに通じる第１払出通路２４６が遊技球で満杯となると、遊技球分配部２４５の開口部２４５ａが塞がった状態となるため、払出装置３５８から払出される遊技球は、遊技球分配部２４５の開口部２４５ｂ側へこぼれ落ちて第２払出通路２４７へと流下し、下皿３１の排出口３０へと導かれる。
【０１６５】
さらに、下皿３１も満杯となり、第２払出通路２４７の所定地点まで遊技球が溜まると、図示しない下皿満タン検出スイッチによってその旨（下皿満タン状態）が検出され、払出装置３５８による遊技球の払出しが一時的に停止する構成となっている。
【０１６６】
その後、下皿３１中の遊技球が遊技者等によって抜き取られ、第２払出通路２４７内に溜まった遊技球が流れ始めると、下皿満タン検出スイッチがオフとなり、払出装置３５８が遊技球の払出可能な状態に復帰する。
【０１６７】
このような遊技球の払出しに伴って、ケースレール３５７，タンクレール３５６，タンク３５５に停留していた遊技球は、下流側の払出装置３５８方向に流動する。この流動によりタンク３５５内の遊技球の貯留数が減少すると、島設備の供給機構は、こうした貯留数の減少を検知し、減少した分の遊技球をタンク３５５に補給する。
【０１６８】
図２４，２５の説明に戻り、払出機構部３５２には、払出制御装置３１１から払出装置３５８への払出指令の信号を中継する払出中継基板３８１が設置されている。つまり、この払出中継基板３８１を介して、払出モータ３５８ａ、払出カウントスイッチ３５８ｃ、下皿満タン検出スイッチなどが払出制御装置３１１と電気的に接続されている。これにより、払出装置３５８が払出制御装置３１１からの出力信号に基づいて駆動制御されるとともに、払出制御装置３１１が払出カウントスイッチ３５８ｃからの入力信号に基づいて払出個数を計数する。
【０１６９】
また、払出機構部３５２には、外部より主電源を取り込む電源スイッチ基板３８２が設置されている。この電源スイッチ基板３８２は、電源装置３１３に接続されており、当該電源装置３１３に対し電源供給する。電源スイッチ基板３８２には、電圧変換器を介して例えば交流２４Ｖの主電源が供給され、電源スイッチ３８２ａの切替操作により電源ＯＮ又は電源ＯＦＦされる。
【０１７０】
さて、ここで裏パック３５１の説明に戻る。裏パック３５１には、図２４等の右端部に上下一対の支軸３８５が設けられており、この支軸３８５を図１９等に示す支持孔部２３８に上方から挿通させることで、裏パックユニット２０３が内枠１２に対して開閉可能に支持される。また、裏パック３５１には、左端部に締結具として上下一対のナイラッチ３８６が設けられると共に、上端部に係止孔３８７が設けられており、ナイラッチ３８６を図１９等に示す被締結孔２４０にはめ込むと共に、係止孔３８７に図１９等に示す固定具２４２を係止させることで、裏パックユニット２０３が内枠１２に開閉不能に固定されるようになる。また、本実施形態では、多くの遊技球が貯留され比較的負荷のかかるタンク３５５の近傍の係止部Ｍ８として、回動式のＩ型の留め具が採用されている。このため、ナイラッチ等の固定具を用いた場合に比べてより確実に裏パックユニット２０３（タンク３５５）の係止を行うことができる。このとき、図１９等に示す固定具２４１，２４３によっても裏パックユニット２０３が内枠１２に固定される。なお、支持孔部２３８及び支軸３８５が前記図１８の支軸部Ｍ６に、被締結孔２４０及びナイラッチ３８６が締結部Ｍ７に、固定具２４２及び係止孔３８７が係止部Ｍ８に、それぞれ相当する。また、固定具２４３が係止部Ｍ９に相当する。
【０１７１】
また、裏パックユニット２０３のベース部３５３には、外部中継端子板２３０用の開口部３９１が設けられており、裏パックユニット２０３の固定された状態でも、外部中継端子板２３０の取外し及び操作が可能となっている。
【０１７２】
次に、パチンコ機１０のアース構造、特に払出機構部３５２など遊技球の払出しに関連する部位（遊技球が接触する部位）のアース構造について詳しく説明する。
【０１７３】
本実施形態における払出機構部３５２を構成する各構成部材、すなわちタンク３５５、タンクレール３５６、ケースレール３５７、払出装置３５８、及び、払出桶３５９は、カーボンファイバ（炭素繊維）の混入された導電性樹脂材料により形成されている。
【０１７４】
払出機構部３５２を構成する各構成部材の成形材料及びその特性を図２７に示す。図２７に示すように、本実施形態では、タンク３５５、タンクレール３５６、ケースレール３５７、払出装置３５８、及び払出桶３５９を、ＡＢＳ（アクリロニトリル・ブタジエン・スチレン）製若しくはＰＣ（ポリカーボネート）製の導電材によって形成するとともに、払出桶３５９を覆う桶カバー３５９ｄをＡＢＳ製の帯電防止材（ＡＢＳ製の絶縁材）によって形成する。なお、本実施形態では、単位体積当たりの電気抵抗値（以下、表面抵抗値という）が１０6Ω以下のものを導電材、表面抵抗値が１０6Ωを越えるものを帯電防止材として区別している。
【０１７５】
タンク３５５は、表面抵抗値が１０0ΩのＡＢＳ製の導電材Ａを用いて成形されている。タンク３５５内においては、遊技球の払出しに伴う遊技ホールの島設備の供給機構からの遊技球の補給の際に、補給された遊技球がタンク３５５内に貯まっている遊技球に衝突する頻度が多く、しかも、タンク内部と遊技球との接触面積も大きいため、静電気の発生量が特に多いと考えられる。さらには、タンク３５５に供給される遊技球は、遊技ホールの磨き装置によって磨かれたり、搬送途中で他の遊技球と衝突する等して静電気が帯電した状態で供給されることも多い。加えて、タンク３５５は、払出カウントスイッチ３５８ｃ等のセンサを備えた払出装置３５８よりも上流側に設置されるため、帯電状態のままで遊技球を流下させてしまうと払出カウントスイッチ３５８ｃ等の動作に悪影響を及ぼすおそれがある。このため、本実施形態では、タンク３５５に表面抵抗値の小さい導電材Ａを用いている。
【０１７６】
タンクレール３５６は、タンク３５５と同様の導電材Ａを用いて成形されている。タンクレール３５６内においては、レール内部と遊技球との接触面積が大きいことに加え、タンク３５５内に遊技球が貯まっていない状態で遊技ホールの島設備からタンク３５５に遊技球の補給がなされ、補給された遊技球がタンクレール３５６内に貯まっている遊技球に衝突する場合があり得るため、静電気の発生量が多いと考えられる。特に、タンク３５５の導出口３５５ｂの下方位置ではその可能性が高い。加えて、タンクレール３５６は、タンク３５５と同様に、払出カウントスイッチ３５８ｃ等を備えた払出装置３５８よりも上流側に設置される。このため、本実施形態では、タンクレール３５６にも表面抵抗値の小さい導電材Ａを用いている。
【０１７７】
ケースレール３５７は、内部における遊技球との接触面積がタンクレール３５６よりも小さいことを考慮し、比較的大きな表面抵抗値（１０3.8Ω）のＡＢＳ製の導電材Ｃを用いて成形される。また、帯電防止材や絶縁材ではなく導電材Ｃを用いたのは、万一、タンクレール３５６から帯電状態の遊技球が流下してきた場合に、この遊技球がそのまま払出装置３５８内に進入することを防止し、静電気が払出カウントスイッチ３５８ｃ等に作用してしまうことを未然に回避するためである。
【０１７８】
払出装置３５８は、払出カウントスイッチ３５８ｃ等が設けられている部分を含めて、導電材Ａと導電材Ｃの中間程度の表面抵抗値（１０2Ω）のＰＣ製の導電材Ｂを用いて成形される。払出装置３５８内における遊技球同士の衝突頻度や遊技球との接触面積は、ケースレール３５７とほぼ同等であり、払出装置３５８内における静電気発生量はケースレール３５７内とほぼ同等と考えられる。一方、払出装置３５８内には払出カウントスイッチ３５８ｃ等という賞球や貸球の払出し数を制御する部品が存在するため、万一、帯電状態の遊技球が払出装置３５８内に進入した場合に、この遊技球の静電気が払出カウントスイッチ３５８ｃ等に作用してしまうことを確実に防止する必要がある。このため、本実施形態では、払出装置３５８に、ケースレール３５７よりも表面抵抗値の小さい導電材Ｂを用いている。
【０１７９】
払出桶３５９は、払出カウントスイッチ３５８ｃ等を備えた払出装置３５８の下流側に設置されるため払出カウントスイッチ３５８ｃ等の誤動作への影響が小さいことを考慮し、比較的大きな表面抵抗値の導電材Ｃを用いて成形される。また、帯電防止材や絶縁材ではなく導電材Ｃを用いたのは、賞球や貸球としての遊技球を払出桶３５９内で静電気を除去した上で上皿３７に払出すためである。
【０１８０】
一方、払出桶３５９を覆う桶カバー３５９ｄは、大きな表面抵抗値を有するＡＢＳ製の帯電防止材Ａ（１０11Ω）を用いて成形される。桶カバー３５９ｄは、裏パックユニット２０３の裏側から見える部分であることを考慮し、導電材よりも材料の色の種類が多い絶縁材や帯電防止材を採用したものである。また、互いに組み合わされる払出桶３５９及び桶カバー３５９ｄを表面抵抗値が異なる材料（導電材Ｃ，帯電防止材Ａ）で成形したことにより、払出桶３５９及び桶カバー３５９ｄ内を流下する遊技球に帯電した静電気は、表面抵抗値の小さい払出桶３５９側に積極的に引きつけられる。結果として、桶カバー３５９ｄの背面側に設けられた払出中継基板３８１等を静電気から保護することができる。
【０１８１】
図２７に示すように、上皿３７は、パチンコ機１０の前面に張り出す張出部３８が大きな表面抵抗値の帯電防止材Ａを用いて成形され、遊技球を貯め置く皿本体部が小さな表面抵抗値の導電材Ａを用いて成形される。同様に、下皿３１は、パチンコ機１０の前面に張り出す張出部３２が大きな表面抵抗値の帯電防止材Ａを用いて成形され、遊技球を貯め置く皿本体部が小さな表面抵抗値の導電材Ａを用いて成形される。
【０１８２】
上皿３７や下皿３１では、払出装置３５８から払出された遊技球が皿自体やその内に貯まっている遊技球と衝突する頻度が多く、しかも皿内部と遊技球との接触面積も大きいため、静電気の発生量が多いと考えられる。また、払出し途中で他の遊技球と衝突する等して静電気が帯電した状態の遊技球が貯留されることも多い。上皿３７等は、払出装置３５８よりも下流側に位置するが、ここに貯留された遊技球を帯電状態のままにしておくと、仮に上皿３７等が遊技球で満杯となり、払出装置３５８から上皿３７等まで遊技球が貯まってしまった場合に、当該遊技球を通じて上流側の払出装置３５８へ静電気が流れ、払出カウントスイッチ３５８ｃ等の動作に悪影響を及ぼすおそれがある。このため、本実施形態では、上皿３７及び下皿３１（皿本体部）に表面抵抗値の小さい導電材Ａを用いている。
【０１８３】
次に各部位のアース経路（導電経路）について説明する。図２５に示すように、裏パック３５１におけるタンク３５５及びタンクレール３５６の取付位置には、クランク状に折り曲げ形成された銅製の導電プレート４０１が配設されている。そして、裏パック３５１に対しタンク３５５及びタンクレール３５６を取付けることにより、導電プレート４０１を介してタンク３５５及びタンクレール３５６が電気的に導通した状態となる。
【０１８４】
また、タンク３５５の取付側（図２５奥側）の側壁部には、タンク３５５本体を形成する導電性樹脂材料よりも導電性に優れた銅製の導電板４０５が取付けられている。導電板４０５は、タンク３５５の側壁部に嵌め込まれる本体部４０５ａと、当該本体部４０５ａの一端に接続されたリード線（銅線を絶縁材により被覆した被覆線）４０５ｂとからなる。
【０１８５】
本体部４０５ａは、左右方向へ長く、断面略コ字状に形成されている。そして、取付け時には、タンク３５５の側壁部を跨ぐように上方から嵌め込まれ、その一部がタンク３５５の内側に臨んだ状態となり、タンク３５５内に貯留される遊技球と広範囲にわたって直接接触する構成となっている。
【０１８６】
内枠１２に対し裏パック３５１を取付けた際（図１７参照）には、リード線４０５ｂの先端側に設けられたリング状の接続端子４０５ｃが、施錠装置Ｇ１の基枠１８６（取付板１８７）の上端部近傍に設けられた接続部１８７ａ（図１９等参照）に対しビス止めされる。
【０１８７】
また、図２５に示すように、ベース部３５３の背面側には、裏パック３５１の回動軸側において、銅製の導電板４０９が取付けられている。そして、当該導電板４０９に当接するようにして、タンクレール３５６、ケースレール３５７、払出装置３５８、及び、払出桶３５９が取付けられている。従って、導電板４０９を介して、タンクレール３５６、ケースレール３５７、払出装置３５８、及び、払出桶３５９が電気的に導通した状態となる。
【０１８８】
上記構成により、タンク３５５、タンクレール３５６、ケースレール３５７、払出装置３５８、払出桶３５９、及び、施錠装置Ｇ１が電気的に導通された状態となる。
【０１８９】
また、図１７に示すように、外枠１１の右辺枠構成部１１ｄの背面側にはアース線をビス止めするための接続部１１ｇが設けられている。パチンコ機１０が遊技ホールの島設備に設置された際には、当該接続部１１ｇに対し、一端が島設備の外部アースに接続された所定のアース線の他端側がビス止め等により接続される。これにより、パチンコ機１０は外部にアース接続された状態となる。
【０１９０】
つまり、外枠１１に対し内枠１２を施錠した際には、施錠装置Ｇ１の鉤部材１９２，１９３が外枠１１の爪馬１７，１８に係合されることにより、払出機構部３５２が外部アースと電気的に接続された状態となる。つまり、払出機構部３５２（タンク３５５）→導電板４０５→施錠装置Ｇ１〔基枠１８６→摺動杆１９１→鉤部材１９２（１９３）〕→爪馬１７（１８）→外枠１１（右辺枠構成部１１ｄ）→アース線→島設備の外部アースといったアース経路ができ、当該アース経路を介して払出機構部３５２から除去された静電気が機外へ放電除去される。
【０１９１】
また、図２４に示すように、払出機構部３５２は、各構成部の表面抵抗値の大きさに対応して、上流側から以下のように区分される。表面抵抗値が１０0Ωの導電材Ａからなる領域Ｐ（タンク３５５からタンクレール３５６までの領域）、表面抵抗値が１０3.8Ωの導電材Ｃからなる領域Ｑ（ケースレール３５７領域）、表面抵抗値が１０2Ωの導電材Ｂからなる領域Ｒ（払出装置３５８領域）、及び表面抵抗値が１０3.8Ωの導電材Ｃからなる領域Ｓ（払出桶３５９領域）である。
【０１９２】
上記構成の下、領域Ｐ、領域Ｑ及び領域Ｒに遊技球が貯留され、静電気を帯びている場合には、領域Ｒよりも領域Ｑで、領域Ｑよりも領域Ｐで静電気が除去されやすくなる。
【０１９３】
次に、下皿３１及び上皿３７のアース経路（球受皿用の導電経路）について説明する。上述したように、下皿３１及び上皿３７は、それぞれ補強用板金２８，１３４との電気的導通が図られている。従って、下皿ユニット１３が施錠されることにより、下皿３１→補強用板金２８→係合部１３ａ，１３ｂ→施錠装置Ｇ１〔下皿ユニット鉤部１９７ａ，１９７ｂ→基枠１８６→摺動杆１９１→鉤部材１９３（１９２）〕→爪馬１８（１７）→外枠１１（右辺枠構成部１１ｄ）→アース線→島設備の外部アースといったアース経路が形成され、当該アース経路を介して下皿３１から除去された静電気が機外へ放電除去される。
【０１９４】
同様に、前面枠セット１４が施錠されることにより、上皿３７→補強用板金１３４→補強用板金１３２→前面枠セット鉤部１４ｂ（１４ａ）→施錠装置Ｇ１〔前面枠セット施錠部材１９５（１９４）→摺動杆１９１→鉤部材１９３（１９２）〕→爪馬１８（１７）→外枠１１（右辺枠構成部１１ｄ）→アース線→島設備の外部アースといったアース経路が形成され、当該アース経路を介して上皿３７から除去された静電気が機外へ放電除去される。
【０１９５】
さて、図２８は、本パチンコ機１０の電気的構造を示したブロック図である。パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【０１９６】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するためのメモリやエリアの他に、バックアップエリア５０３ａが設けられている。
【０１９７】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくためのエリアである。バックアップエリア５０３ａへの書き込みは、ＮＭＩ割込み処理によって電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【０１９８】
かかるＲＯＭ５０２及びＲＡＭ５０３を内蔵したＣＰＵ５０１には、アドレスパス及びデータパスで構成されるバスライン５０４を介して入出力ポート５０５が接続されている。入出力ポート５０５には、後述するＲＡＭ消去スイッチ回路５４３、払出制御装置３１１、表示制御装置５５や、その他図示しないスイッチ群などが接続されている。
【０１９９】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０２００】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するためのメモリやエリアの他に、バックアップエリア５１３ａが設けられている。
【０２０１】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくためのエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【０２０２】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【０２０３】
発射制御装置３１２は、発射装置７２による遊技機の発射を許可又は禁止するものであり、発射装置７２及び球送りユニット７４は、所定条件が整っている場合に駆動が許可される。具体的には、払出制御装置３１１から発射許可信号が出力されていること、遊技者がハンドル３５をタッチしていることをセンサ信号により検出されていること、発射を停止させるための発射停止スイッチが操作されていないこと等を条件に、発射装置７２及び球送りユニット７４が駆動され、ハンドル３５の操作量に応じた強度で１球ずつ遊技球が発射される。
【０２０４】
表示制御装置５５は、第１図柄表示装置５２における第１図柄の変動表示と、第２図柄表示装置５１における第２図柄の変動表示とを制御するものである。この表示制御装置５５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、２つの出力ポート５２８，５２９と、バスライン５３０，５３１とを備えている。入力ポート５２７の入力には主制御装置２６１の出力が接続され、入力ポート５２７の出力には、ＣＰＵ５２１、ＲＯＭ５２２、ワークＲＡＭ５２３、画像コントローラ５２６が接続されると共にバスライン５３０を介して一方の出力ポート５２８が接続されている。出力ポート５２８の出力には第２図柄表示装置５１（表示部５３）や、音声ランプ制御装置２６２が接続されている。また、画像コントローラ５２６にはバスライン５３１を介して出力ポート５２９が接続されており、その出力ポート５２９の出力には液晶表示装置たる第１図柄表示装置５２が接続されている。
【０２０５】
表示制御装置５５のＣＰＵ５２１は、主制御装置２６１から送信される表示コマンドに基づいて第１図柄表示装置５２及び第２図柄表示装置５１の表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０２０６】
ビデオＲＡＭ５２４は、第１図柄表示装置５２に表示される表示データを記憶するためのメモリであり、このビデオＲＡＭ５２４の内容を書き替えることにより、第１図柄表示装置５２の表示内容が変更される。キャラクタＲＯＭ５２５は、第１図柄表示装置５２に表示される図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第１図柄表示装置５２に表示させるものである。
【０２０７】
また、電源装置３１３は、パチンコ機１０の各部に電力を供給するための電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０２０８】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力するための回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０２０９】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０２１０】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアするための回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０２１１】
以上詳述したように、本実施形態によれば、タンク３５５及びタンクレール３５６は、表面抵抗値が１０0ΩのＡＢＳ製の導電材Ａを用いて成形されている。一方、払出装置３５８は導電材Ａよりも大きな表面抵抗値（１０2Ω）の導電材Ｂを用いて成形され、ケースレール３５７は導電材Ｂよりも大きな表面抵抗値（１０3.8Ω）の導電材Ｃを用いて成形されている。これにより、遊技球に静電気が帯電しやすいタンク３５５やタンクレール３５６において、静電気の発生後速やかにかつ払出装置３５８からできる限り離れた位置で効率よく静電気を除去することが可能となり、タンク３５５等で発生した静電気が下流側へ流れることを抑制することができる。結果として、払出装置３５８の誤作動防止など、静電気放電に伴う種々の不具合の発生を抑制することができる。
【０２１２】
しかも、本実施形態では、遊技球に静電気が帯電しやすいタンク３５５を始点としてパチンコ機１０外部の外部アースとの電気的導通を図るアース経路を備えたことにより、タンク３５５やタンクレール３５６の上流部から除去される静電気が下流側へ流れることを抑制することができる。結果として、上記作用効果をより確実なものとすることができる。
【０２１３】
さらに、図２９に示すように比較的導電性の良い銅製の導電板４０５をタンク３５５に取付け、遊技球に直接接触させ、静電気除去を行っているため、より効率よく静電気除去を行うことができる。
【０２１４】
また、本実施形態では、施錠装置Ｇ１及び外枠１１の右辺枠構成部１１ｄをアース経路の一部として利用している。これにより、アース線を極力用いなくて済むため、パチンコ機１０背面側の余分な配線を減らし、配線の煩雑化や部品点数の増加を抑制することができる。
【０２１５】
さらに、パチンコ機１０の背面側中央部に配設される各種電子機器からより離れた位置を通して島設備の外部アースとの電気的導通を図ることができるため、各種電子機器等への電磁誘導ノイズ等の影響を極力抑えることができる。なお、本実施形態では、図２０に示すように、各種電子機器の配設される内枠１２の背面側中央部と施錠装置Ｇ１の配設位置とを隔てる絶縁性の隔壁部２４４を備えているため、静電気がパチンコ機１０の背面中央部側（各種電子機器側）へ流れることも抑制することができる。
【０２１６】
また、本実施形態では、島設備に常時固定され、開閉動作のない外枠１１を介してパチンコ機１０外部との電気的導通を図ることができるため、パチンコ機１０と島設備とを接続するアース線が内枠１２の開閉動作の妨げとなったり、内枠１２の開閉動作に伴いアース線が損傷・断線するなどといった不具合の発生を抑制することができる。結果として、アース経路の良好な電気的導通状態を維持しやすい。
【０２１７】
さらに、本実施形態では、払出機構部３５２の各構成部材、すなわちタンク３５５、タンクレール３５６、ケースレール３５７、払出装置３５８、及び、払出桶３５９のアース接続は、すべて最上流側のタンク３５５→施錠装置Ｇ１→外枠１１といったアース経路を介して行われる構成となっている。つまり、裏パックユニット２０３を支える支持金具２３５等を介してアース接続していない。遊技球を停留させ、非常に重くなる払出機構部３５２を備えた裏パックユニット２０３を支える支持金具２３５には、非常に大きな負荷がかかるため、摩擦等に起因して回動軸の接続部分における電気的導通状態が悪化していくおそれがある。これに対し、施錠装置Ｇ１の鉤部材１９２，１９３や外枠１１の爪馬１７，１８には、内枠１２の開閉に伴いそれほど大きな負荷はかからず、支持金具２３５ほど摩擦等による電気的導通状態の悪化は起こりにくいため、本実施形態によれば、アース経路の良好な電気的導通状態を維持しやすい。
【０２１８】
また、本実施形態では、上皿３７も表面抵抗値が１０0ΩのＡＢＳ製の導電材Ａを用いて成形されている。これにより、払出機構部３５２から遊技球が払出され、当該遊技球に静電気が帯電しやすい上皿３７において、静電気の発生後速やかにかつ払出装置３５８からできる限り離れた位置で効率よく静電気を除去することが可能となり、上皿３７等で発生した静電気が払出機構部３５２側へ流れることを抑制することができる。結果として、払出装置３５８の誤作動防止など、静電気放電に伴う種々の不具合の発生を抑制することができる。
【０２１９】
しかも、本実施形態では、絶縁性を有する遊技球分配部２４５により、上皿３７と払出機構部３５２（払出桶３５９）との電気的導通を遮断するとともに、上皿３７の下流側を始点としてパチンコ機１０外部の外部アースとの電気的導通を図るアース経路を備えたことにより、上皿３７から除去される静電気が上流側ひいては払出機構部３５２へ流れることを抑制することができる。結果として、上記作用効果をより確実なものとすることができる。
【０２２０】
本実施形態に代えて、仮に前面枠セット１４の支持金具１８１，１８２や、それを支持する内枠１２側の支持金具１０１，１０２等を介して、上皿３７をアース接続する構成とした場合には、前面枠セット１４の開閉に伴う摩擦等に起因して支持金具１８１，１８２等の接続部分における電気的導通状態が悪化するおそれがある。これに対し、本実施形態では、上皿３７のアース接続に関しても、払出機構部３５２の場合と同様、施錠装置Ｇ１等を介して行う構成となっているため、アース経路の良好な電気的導通状態を維持しやすい。
【０２２１】
さらに、施錠装置Ｇ１等を介して前面枠セット１４側と内枠１２側との電気的導通を図ることにより、アース線が前面枠セット１４の開閉動作の妨げとなったり、前面枠セット１４の開閉動作に伴いアース線が損傷・断線するなどといった不具合の発生を抑制することができる。結果として、アース経路の良好な電気的導通状態を維持しやすい。
【０２２２】
また、本実施形態では、前面側に下皿３１やハンドル３５が設けられかつ裏面側にハンドル３５の電気配線ＤＨ１等が配設された下皿ユニット１３と、下皿３１よりも頻繁に遊技球が払出され、静電気が発生しやすい上皿３７が設けられた前面枠セット１４とが別々に設けられている。このため、構造的にも前面枠セット１４と下皿ユニット１３と直接の電気的導通を遮断しやすく、上皿３７から除去される静電気が、電気配線ＤＨ１等を介して各種電気機器等へ与える影響を低減することができる。
【０２２３】
なお、施錠装置Ｇ１及び外枠１１の右辺枠構成部１１ｄは、パチンコ機１０の上下方向の比較的広範囲（ほぼ範囲）に配設されるため、上皿３７、下皿３１、タンク３５５などといった、どの高さ位置にある部材からも容易にアース接続することができる。
【０２２４】
なお、上述した実施形態の記載内容に限定されず、例えば次のように実施してもよい。
【０２２５】
（ａ）上記実施形態では、ヒンジ金具１５，１６、爪馬１７，１８、補強用板金２８等の各種補強用板金、施錠装置Ｇ１などの各種金属部材が、冷間圧延鋼板（ＳＰＣＣ等）、電気亜鉛めっき鋼板（ＳＥＣＣ等）などにより形成されている。これら金属部材は、比較的剛性が高く導電性を有する金属素材であれば、他の金属素材により形成されたものであってもよい。
【０２２６】
但し、図２９に示すように、亜鉛は鉄などと比較して導電性が良いため、電気亜鉛めっき鋼板を用いた構成の方が、導電性の良いアース経路を構築することができ、静電気をよりスムーズに除去することができる。
【０２２７】
（ｂ）上記実施形態では、払出機構部３５２の各構成部材、すなわちタンク３５５、タンクレール３５６、ケースレール３５７、払出装置３５８、及び払出桶３５９が、カーボンファイバの混入された導電性樹脂材料により形成されている。これに限らず、これら構成部材を、例えばステンレス繊維等の金属素材を含有する導電性樹脂材料により形成した構成としてもよい。勿論、上皿３７や下皿３１に関しても同様である。
【０２２８】
（ｃ）上記実施形態では、左辺枠構成部１１ｃ及び右辺枠構成部１１ｄがアルミニウム合金製の押出成形材により構成されたハイブリットタイプの外枠１１が例示されている。外枠１１は、これに限定されるものではなく、例えば少なくとも施錠装置Ｇ１に対応した右辺枠構成部１１ｄのみがアルミニウム合金よりなるタイプのものであってもよいし、枠構成部１１ａ〜１１ｄすべてがアルミニウム合金よりなるタイプのものであってもよい。
【０２２９】
勿論、左辺枠構成部１１ｃ及び右辺枠構成部１１ｄは押出成形品でなくともよく、例えば型成形品でもよい。
【０２３０】
また、成形素材に関しても、アルミニウム合金に限らず、導電性を有する他の金属材料を用いてもよい。但し、アルミニウム合金の主体となるアルミニウムは、図２９に示すように鉄等に比べ導電性に優れるとともに、比較的軽く加工性もよいため、アルミニウム合金を用いるのがより好ましい。なお、アルミニウム合金は、アルミニウムに、亜鉛、マグネシウム、銅、ニッケル、チタン、シリコン等、或いはそれらを任意に組み合わせたものを添加することにより形成される。
【０２３１】
なお、島設備の意図しない箇所に静電気が流れないようにするため、島設備に対し釘等により固定される上辺枠構成部１１ａや下辺枠構成部１１ｂに関しては、上記実施形態の木製部材など絶縁性部材からなるハイブリットタイプとすることがより好ましい。
【０２３２】
（ｄ）各種アース経路は上記実施形態に限定されるものではない。
【０２３３】
払出機構部３５２に関して、例えば、タンク３５５と島設備の外部アースとを直接アース線により接続したアース経路（タンク３５５→アース線→島設備の外部アース）や、裏パックユニット２０３の回動軸側を通すアース経路（タンク３５５→アース線等→支軸３８５→支持金具２３５→アース線→島設備の外部アース）、左辺枠構成部１１ｃを介したアース経路（タンク３５５→アース線等→支軸３８５→支持金具２３５→アース線等→支持金具６５，６６→ヒンジ金具１５，１６→左辺枠構成部１１ｃ→アース線→島設備の外部アース）、電源装置３１３等のアース端子を介するアース経路（タンク３５５→アース線等→電源装置３１３→アース線→島設備の外部アース）などが挙げられる。勿論、これらのアース経路の一部として施錠装置Ｇ１を利用してもよい。例えば、タンク３５５→施錠装置Ｇ１→アース線等→電源装置３１３等のアース端子→アース線→島設備の外部アースといったアース経路を採用してもよい。
【０２３４】
同様に、上皿３７や下皿３１に関して、例えば、前面枠セット１４や下皿ユニット１３の回動軸側を通すアース経路〔上皿３７（下皿３１）→支持金具１８１，１８２（支持部１８３，１８４）→支持金具１０１，１０２（支持金具１０２，１０３）→アース線等→電源装置３１３等のアース端子→アース線等→島設備の外部アース〕、左辺枠構成部１１ｃを介したアース経路〔上皿３７（下皿３１）→支持金具１８１，１８２（支持部１８３，１８４）→支持金具１０１，１０２（支持金具１０２，１０３）→支持金具６５，６６→ヒンジ金具１５，１６→左辺枠構成部１１ｃ→アース線→島設備の外部アース〕、電源装置３１３等のアース端子を介するアース経路（上皿３７や下皿３１→施錠装置Ｇ１→アース線等→電源装置３１３等のアース端子→アース線→島設備の外部アース）などが挙げられる。
【０２３５】
また、パチンコ機１０外部のアース接続先は、島設備の外部アースに限らず、例えばカードユニット等であってもよい。
【０２３６】
また、例えば、外枠１１の右辺枠構成部１１ｄをパチンコ機１０外部のアース接続先とは接続せず、当該右辺枠構成部１１ｄ自体を所定のアース部として機能させる構成としてもよいし、右辺枠構成部１１ｄと爪馬１７，１８との間に絶縁性の樹脂部材を介在させる等して、施錠装置Ｇ１と右辺枠構成部１１ｄとの間の電気的導通を遮断し、施錠装置Ｇ１自体を所定のアース部として機能させる構成としてもよい。勿論、施錠装置Ｇ１及び右辺枠構成部１１ｄの両者をアース部として機能させる構成としてもよい。
【０２３７】
（ｅ）各種部材を電気的に接続する電気的接続手段は上記実施形態に限定されるものではない。例えば、タンク３５５と施錠装置Ｇ１とを金属プレートを介して電気的に接続した構成としてもよい。また、上皿３７と補強用板金１３４とをアース線を用いて電気的に接続した構成としてもよい。タンク３５５とタンクレール３５６とを直接接触させた構成としてもよい。また、導電板４０５等の中継部材を省略した構成としてもよい。
【０２３８】
（ｆ）各種部材を構成する導電材は上記実施形態に限定されるものではない。
【０２３９】
例えば、上記実施形態では、タンク３５５及びタンクレール３５６に同じ表面抵抗値の導電材Ａを用いたが、タンク３５５とタンクレール３５６に異なる表面抵抗値の導電材を用いる構成としてもよい。例えば、タンク３５５に、タンクレール３５６に用いられる導電材よりも小さな表面抵抗値の導電材を用いた構成としてもよい。
【０２４０】
また、上記実施形態では、タンクレール３５６とケースレール３５７とに異なる表面抵抗値の導電材を用いた構成となっているが、例えばタンクレール３５６及びケースレール３５７に同じ表面抵抗値の導電材を用いた構成としてもよい。
【０２４１】
また、上記実施形態では、払出装置３５８に、ケースレール３５７よりも表面抵抗値の小さい導電材Ｂを用いている。これは、払出装置３５８内における遊技球同士の衝突頻度や遊技球との接触面積が、ケースレール３５７とほぼ同等であり、払出装置３５８内における静電気発生量がケースレール３５７内とほぼ同等と考えられるが、払出カウントスイッチ３５８ｃ等を備えていることを考慮したものである。従って、ケースレール３５７も払出装置３５８の上流側部材であることを考慮すれば、払出装置３５８に用いられる導電材よりも小さな表面抵抗値の導電材を用いて形成することが好ましい。
【０２４２】
また、上記実施形態では、上皿３７及び下皿３１と、払出桶３５９とに異なる表面抵抗値の導電材を用いた構成となっているが、例えば上皿３７と払出桶３５９とに同じ表面抵抗値の導電材を用いた構成としてもよい。
【０２４３】
（ｇ）上記実施形態では、島設備の外部アースなど所定のアース部と電気的に接続される払出機構部３５２側の接続点となる特定部位がタンク３５５となっている。これに限らず、例えばタンクレール３５６と施錠装置Ｇ１とを電気的に接続した構成としてもよい。また、タンク３５５及びタンクレール３５６の両者が施錠装置Ｇ１と電気的に接続された構成としてもよい。
【０２４４】
なお、タンクレール３５６にてアース接続される場合には、左右方向におけるタンク３５５の底部３５５ａと導出口３５５ｂとの境界部の位置Ｈ２（図２６参照）よりも上流側（図２６左側）の位置、例えば球受部３６２などにおいてアース接続される構成とすることが好ましい。底部３５５ａと導出口３５５ｂとの境界部は、遊技球がタンクレール３５６に落下する位置であるので、静電気が発生しやすい。従って、ここよりも上流側の特定部位を始点としたアース経路を設けることにより、払出機構部３５２の下流側へ静電気が流れにくくなる。
【０２４５】
また、上記実施形態では、島設備の外部アースと電気的に接続される上皿３７側の接続点となる特定部位が、整流部３７ｄの始点（球受皿の特定位置）Ｈ１よりも下流側部位となっている。これに限らず、例えば上皿３７の上流側部位が接続点となる構成としてもよい。
【０２４６】
（ｈ）タンク３５５など、払出機構部３５２の各構成部材に対し、遊技球の素材である鉄（鋼鉄）と帯電列の上で近い関係にある素材（例えば銅など）によりメッキ処理を施し、タンク３５５等と遊技球との接触により静電気が発生しにくい構成としてもよい。勿論、上皿３７や下皿３１に関しても同様である。
【０２４７】
（ｉ）上記実施形態では、払出機構部３５２を搭載した裏パックユニット２０３が内枠１２の背面側において回動可能な構成となっているが、これに限らず、裏パックユニット２０３が内枠１２の背面側に固定される構成としてもよい。
【０２４８】
（ｊ）上記実施形態では、払出機構部３５２の各構成部材、すなわちタンク３５５、タンクレール３５６、ケースレール３５７、払出装置３５８、及び、払出桶３５９のすべてが電気的に導通され、最上流側のタンク３５５を介してパチンコ機１０外部とアース接続された構成となっている。
【０２４９】
これに限らず、例えば、タンク３５５とタンクレール３５６との間を絶縁したり、タンクレール３５６とケースレール３５７と間を絶縁し、払出機構部３５２の下流側へ静電気が流れにくくなる構成としてもよい。
【０２５０】
タンク３５５とタンクレール３５６との間を絶縁した構成では、例えばタンク３５５が施錠装置Ｇ１を介して島設備の外部アースとアース接続され、残りのタンクレール３５６、ケースレール３５７、払出装置３５８、及び、払出桶３５９が裏パックユニット２０３を支える支持金具２３５等を介して島設備の外部アースとアース接続される構成としてもよい。また、タンク３５５及びタンクレール３５６がそれぞれ施錠装置Ｇ１を介してアース接続され、残りのケースレール３５７等が支持金具２３５等を介してアース接続された構成としてもよい。同様に、タンクレール３５６とケースレール３５７と間を絶縁した構成では、タンク３５５及びタンクレール３５６が施錠装置Ｇ１を介してアース接続され、残りのケースレール３５７等が支持金具２３５等を介してアース接続された構成としてもよい。
【０２５１】
なお、絶縁手段としては、各構成部材を離間させる構成や、構成部材間にゴム等の絶縁部材を介在させる構成などが挙げられる。
【０２５２】
（ｋ）施錠装置Ｇ１の構成は上記実施形態に限定されるものではなく、異なる構成を採用してもよい。例えば、上記実施形態では、前面枠セット１４の施錠機構に関し、前面枠セット１４側に、爪部を有する前面枠セット鉤部１４ａ，１４ｂが設けられ、施錠装置Ｇ１側に、前記爪部と係合する前面枠セット施錠部材１９４，１９５が設けられているが、施錠装置Ｇ１側に爪部を有する鉤部材を設け、前面枠セット１４側に当該爪部と係合する受部を設けた構成としてもよい。
【０２５３】
（ｌ）上記実施形態では、上皿３７が前面枠セット１４に設けられ、下皿３１が下皿ユニット１３に設けられた構成となっている。これに限らず、例えば前面枠セット１４及び下皿ユニット１３が一体に設けられ、かつ、上皿３７と下皿３１とが別体に設けられた構成や、前面枠セット１４及び下皿ユニット１３が一体に設けられ、かつ、上皿３７と下皿３１とが一体（下皿３１を省略し、上皿３７のみ備えた構成を含む）に設けられた構成、上皿３７及び下皿３１が一体となって下皿ユニット１３に設けられた構成、上皿３７及び下皿３１が下皿ユニット１３に設けられ、かつ、当該上皿３７と下皿３１とが別体に設けられた構成などを採用してもよい。
【０２５４】
（ｍ）上記実施形態では、外枠１１の右辺枠構成部１１ｄの背面側の下部にアース線をビス止めするための接続部１１ｇが設けられている。接続部１１ｇの設けられる位置や数は、これに限定されるものではない。例えば、右辺枠構成部１１ｄの上部に接続部を設けた構成としてもよい。このようにすれば、タンク３５５から島設備の外部アースまでのアース経路をより短くすることができる。
【０２５５】
また、接続部の形態は上記実施形態に限定されるものではなく、例えば右辺枠構成部１１ｄの後側のフランジ部を接続部として利用してもよい。かかる場合、右辺枠構成部１１ｄのフランジ部を挟むようにして、島設備の外部アースから延びるアース線の端子部を取付ける構成を採用することができる。このようにすれば、接続位置を上下方向に自由に変化させることが可能となり、利便性が増す。
【０２５６】
（ｎ）上記実施形態とは異なるタイプのパチンコ機として実施してもよい。また、パチンコ機以外にも、アレンジボール機、それに類する雀球等の各種遊技機などとして実施してもよい。さらに、パチンコ機以外の遊技機として、パチンコ機とスロットマシンとが融合した遊技機としても、もちろん実施可能である。
【０２５７】
以下、特許請求の範囲の請求項に記載されないものであって、上記実施形態から把握できる技術的思想について、その効果とともに記載する。
【０２５８】
手段１．遊技球を貯留可能なタンクと、
遊技球の払出しを行う払出装置と、
前記タンクから前記払出装置へ遊技球を案内する案内レールとを有する払出機構部を備えた遊技機であって、
前記タンク、前記案内レール及び前記払出装置を樹脂製の導電材を用いて形成すると共に、
前記タンク及び前記案内レールの形成に用いられる導電材の抵抗率を、前記払出装置の形成に用いられる導電材の抵抗率より低い抵抗率とし、
前記払出機構部のうちの前記案内レールの特定位置よりも下流側の構成部分を介することなく、前記払出機構部のうちの前記特定位置よりも上流側の特定部位と所定のアース部との電気的導通を図る導電経路（アース経路）を備えたことを特徴とする遊技機。
【０２５９】
ここで抵抗率とは、ある材料についての単位体積当たりの電気抵抗値をいう。抵抗率は比導電率の逆数として表わすことができる。
【０２６０】
上記手段１によれば、払出機構部を構成するタンク、案内レール及び払出装置を樹脂製の導電材を用いて形成すると共に、タンク及び案内レールの形成に用いられる導電材の抵抗率を、払出装置の形成に用いられる導電材の抵抗率より低い抵抗率としている。従って、仮に払出装置から案内レールを経てタンクまで遊技球が溜まった状況において、遊技球に帯電した静電気が放電する場合には、当該放電は、確率的に上流側（タンク側）で生じやすく、下流側（払出装置側）で生じにくくなる。これにより、遊技球に静電気が帯電しやすいタンクや案内レール上流部において、静電気の発生後速やかにかつ払出装置からできる限り離れた位置で効率よく静電気を除去することが可能となり、タンク等で発生した静電気が下流側（払出装置側）へ流れることを抑制することができる。結果として、払出装置の誤作動防止など、静電気放電に伴う種々の不具合の発生を抑制することができる。
【０２６１】
しかも、案内レールの特定位置よりも下流側の構成部分を介することなく、遊技球に静電気が帯電しやすいタンクや案内レール上流部と所定のアース部との電気的導通を図る導電経路を備えたことにより、タンクや案内レール上流部から除去される静電気が下流側（払出装置側）へ流れることを抑制することができる。結果として、上記作用効果をより確実なものとすることができる。
【０２６２】
なお、「所定のアース部」としては、遊技機外部の外部アース、電源装置等のアース端子、各種金属部材（「施錠装置」や「外枠」等）などが一例に挙げられる。「施錠装置」や「外枠」は比較的容量大きいため、比較的少量の静電気が流れ込んだ場合には、当該静電気は自然放電することとなる。つまり、「施錠装置」や「外枠」などが遊技機外部の外部アースに接続されていない構成においても、当該「施錠装置」や「外枠」自体がアース部として機能することとなる。
【０２６３】
手段２．遊技球を供給するための供給機構を備えた島設備に固定される矩形枠状の外枠と、
前記外枠の左右一方側（例えば左側）にて上下方向を回動軸として開閉可能に支持された内枠とを備えるとともに、
前記払出機構部を前記内枠の背面側にて備えた遊技機であって、
前記タンクは、前記内枠の背面上部にて、前記供給機構から供給される遊技球を貯留可能に構成され、
前記払出装置は、前記内枠の回動軸側寄りに配設され、
前記案内レールは、前記タンクの下方にて前記タンクから導出される遊技球を整列させつつ左右他方側（例えば右側）から左右一方側へ流下させる上流側レール部材（タンクレール）と、当該上流側レール部材と前記払出装置とを連通させる下流側レール部材（ケースレール）とを備えてなることを特徴とする手段１に記載の遊技機。
【０２６４】
手段３．前記内枠の左右他方側にて上下方向に沿って配設され、少なくとも前記外枠に対し前記内枠を施錠する内枠施錠機構を有してなる施錠装置を備えるとともに、
前記施錠装置を、金属製の導電材を用いて形成し、
前記特定部位である前記タンク又は前記上流側レール部材と、前記施錠装置との電気的導通を図ることにより、
前記施錠装置が、前記導電経路の一部又は前記所定のアース部として機能することを特徴とする手段２に記載の遊技機。
【０２６５】
上記手段３によれば、タンク等で遊技球に帯電した静電気を遊技機外部へ放電除去するための導電経路の一部又は所定のアース部として施錠装置を利用することにより、アース線を極力用いなくて済む。また、既存の施錠装置を利用できるため、部品点数の増加を抑制することができる。
【０２６６】
従来、パチンコ機等の遊技機の背面側には、遊技球の払出しを行う払出機構部の他にも、遊技に関する各種制御を行う各種制御装置などが数多く配設されており、当該制御装置同士を電気的に接続するコマンド送受信用のケーブルコネクタや、制御装置と電源装置とを電気的に接続する電源供給用のケーブルコネクタなども数多く配線されている。
【０２６７】
このため、タンクや上流側レール部材の上流部にアース線を接続して、上記導電経路とした場合には、当該アース線が各種制御装置やケーブルコネクタ等を跨ぐように配設されてしまうため、当該アース線から各種電子機器等への電磁誘導ノイズ等の影響（間接ＥＳＤ）が懸念される。
【０２６８】
この点、施錠装置は、通常、遊技機背面側中央部の各種電子機器から離れた内枠の側縁部に沿って配設されているため、本手段によれば、上記間接ＥＳＤ等による各種電子機器への影響を極力抑えることができる。さらに、各種電子機器の配設される内枠の背面側中央部と施錠装置の配設位置とを隔てる絶縁性の隔壁部を設けるようにすれば、静電気が遊技機背面中央部側（各種電子機器側）へ流れることも抑制することができる。
【０２６９】
また、タンクや上流側レール部材の上流部にアース線を接続し、遊技機背面側中央部に配設された各種電子機器を迂回して当該アース線を配設しようとした場合には、線長の比較的長いアース線が必要とされる。
【０２７０】
この点、本手段によれば、アース線を長い区間とりまわす必要もなく、遊技機背面側の余分な配線を減らすことができるため、遊技機背面側の配線の煩雑化を抑制することができる。
【０２７１】
手段４．前記施錠装置は、
前記内枠施錠機構に設けられた内枠用係合部と、前記外枠に設けられた内枠用被係合部とが係合することにより、前記内枠の開放を規制する内枠施錠状態となり、
前記内枠用係合部が前記内枠用被係合部から離脱（係合解除）されることにより、前記内枠の開放を許容する内枠解錠状態となる構成であって、
前記外枠は、
上下左右の各辺部を構成する枠構成部のうち、少なくとも前記施錠装置に対応する前記左右他方側の枠構成部は、金属製の導電材を用いて形成されるとともに、
前記内枠用被係合部は、
金属製の導電材を用いて形成されるとともに、前記左右他方側の枠構成部との電気的導通が図られ、
前記施錠装置が前記内枠施錠状態となることにより、前記内枠用係合部と前記内枠用被係合部とが電気的に導通して、当該施錠装置と前記左右他方側の枠構成部とが電気的に導通することにより、
前記左右他方側の枠構成部が、前記導電経路の一部又は前記所定のアース部として機能することを特徴とする手段３に記載の遊技機。
【０２７２】
仮に内枠の外縁部に配設された施錠装置を導電経路の一部として利用し、施錠装置を介して遊技機外部とアース接続したとしても、遊技機側において最終的に遊技機外部の外部アースと電気的に接続される部分が、例えば内枠を開閉可能に支持する開閉軸側のヒンジ部材であったり、電源装置のアース端子である場合には、遊技機背面側中央部の各種電子機器を跨ぐようにしてアース線等を用いて施錠装置とヒンジや電源装置等とを電気的に接続しなければならないため、上記同様、当該アース線から各種電子機器等への電磁誘導ノイズ等の影響が懸念される。
【０２７３】
この点、本手段のように外枠の枠構成部を上記導電経路の一部又は所定のアース部として利用することにより、遊技機背面側中央部に配設される各種電子機器からより離れた位置を通して遊技機外部との電気的導通を図る又は静電気を除去することができるため、上述したような不具合の発生を抑制することができる。
【０２７４】
また、アース線を用いて、電源装置等のアース端子と遊技機外部の外部アースとを直接的に接続する構成や、施錠装置と遊技機外部の外部アースとを直接的に接続する構成では、メンテナンス時等における内枠の開閉動作の妨げになるおそれがある。加えて、内枠の開閉に伴いアース線が断線する等の不具合も生じやすい。さらに、内枠の開閉動作を可能とするためには、ある程度アース線の長さに余裕を持たせる必要があるため、内枠を閉鎖する際に当該アース線を内枠と外枠との間に挟んで傷つけてしまうおそれもある。ひいては、適切な静電気除去が行えなくなるおそれがある。
【０２７５】
この点、本手段によれば、島設備に常時固定され、開閉動作のない外枠を介して遊技機外部との電気的導通を図る又は静電気を除去することができるため、このような不具合の発生を抑制することができる。
【０２７６】
また、払出機構部等を備えた内枠は非常に重いため、これを回動可能に支える雄雌両ヒンジ金具間には、内枠の重量負荷により、内枠の開閉動作に伴って大きな摩擦力が働くため、内枠の開閉動作が繰り返されることによって、ヒンジ金具の表面が削れたり、メッキが剥れてしまうおそれがある。
【０２７７】
このため、ヒンジ部材を介して、遊技機外部の外部アースとの電気的導通を図る構成では、このようにヒンジ金具の表面が削れてしまうと、雄雌両ヒンジ金具間の導電性が悪くなり、適切に静電気を機外へ除去できなくなるおそれがある。なお、ヒンジ部材は外枠などと比べ容量が小さいため、ヒンジ部材のみで静電気を自然放電させることは難しい。
【０２７８】
この点、本手段のように、施錠装置及び外枠を介して遊技機外部との電気的導通を図る又は静電気を除去することにより、このような不具合を抑制することができる。
【０２７９】
また、施錠装置を導電経路の一部として利用し、施錠装置を介して遊技機外部とアース接続する構成としては、遊技機の管理者等が施錠装置に鍵を差し込んだ際、当該管理者等の人体を介して床面にアースして静電気を除去する構成も考えられるが、このような構成では、当該管理者等が不快感を感じるおそれがある。
【０２８０】
この点、本手段によれば、内枠の施錠時には、常時、アース接続された状態となっているため、このような不具合の発生を抑制することができる。
【０２８１】
手段５．前記上流側レール部材の形成に用いられる導電材の抵抗率を、前記下流側レール部材の形成に用いられる導電材の抵抗率より低い抵抗率としたことを特徴とする手段２乃至４のいずれかに記載の遊技機。
【０２８２】
タンクから導出される遊技球を受ける上流側レール部材においては、静電気が発生しやすい。つまり、本手段の構成によれば、案内レールで放電が起きるとしても、払出装置側よりもよりタンクに近い位置で生じ易いため、払出装置への影響をさらに低減することができる。結果として、遊技球に静電気がより帯電しやすい上流側レール部材において効率よく静電気を除去することが可能となる。
【０２８３】
手段６．前記タンクは、遊技球を下方へ導出可能な導出口と、当該導出口へ向けて下方傾斜した底部とを備え、
前記上流側レール部材は、前記タンクの導出口から落下する遊技球を受け、当該遊技球を整列させつつ流下させる構成であって、
前記特定位置は、
左右方向における前記底部と前記導出口との境界部の位置よりも上流側の位置であることを特徴とする手段２乃至５のいずれかに記載の遊技機。
【０２８４】
上記手段６によれば、導出口と底部との境界部は、遊技球が上流側レール部材に落下する位置であるので、静電気が発生しやすい。従って、ここよりも上流側の特定部位を始点とした上記導電経路を設けることにより、払出機構部の下流側へ静電気がより流れにくくなる。
【０２８５】
手段７．遊技球を発射可能な発射装置を前記内枠の左右他方側寄りに備えるとともに、
前記内枠の前面側において、前記内枠の左右一方側寄りに設けられた前記払出装置から払出された遊技球を貯留しかつ当該遊技球を整列させつつ左右一方側から左右他方側へ流下させ前記発射装置まで誘導可能な球受皿を備え、
前記球受皿を樹脂製の導電材を用いて形成すると共に、
前記球受皿の形成に用いられる導電材の抵抗率を、前記払出装置の形成に用いられる導電材の抵抗率より低い抵抗率とし、
前記球受皿の特定位置よりも上流側の構成部分及び前記払出機構部のうちの前記払出装置よりも下流側の構成部分を介することなく、前記球受皿の特定位置よりも下流側の特定部位と所定のアース部との電気的導通を図る球受皿用の導電経路を備えたことを特徴とする手段２乃至６のいずれかに記載の遊技機。
【０２８６】
上記手段７によれば、球受皿を樹脂製の導電材を用いて形成すると共に、球受皿の形成に用いられる導電材の抵抗率を、払出装置の形成に用いられる導電材の抵抗率より低い抵抗率としている。従って、仮に球受皿が遊技球で満杯となり、払出装置から球受皿まで遊技球が溜まった状況において、遊技球に帯電した静電気が放電する場合には、当該放電は、確率的に球受皿側で生じやすく、払出装置側で生じにくくなる。これにより、払出機構部から吐き出されるようにして遊技球が払出され、当該遊技球に静電気が帯電しやすい球受皿において、静電気の発生後速やかにかつ払出装置からできる限り離れた位置で効率よく静電気を除去することが可能となり、球受皿等で発生した静電気が払出機構部側（払出装置側）へ流れることを抑制することができる。結果として、払出装置の誤作動防止など、静電気放電に伴う種々の不具合の発生を抑制することができる。
【０２８７】
しかも、球受皿の特定位置よりも上流側の構成部分及び払出機構部のうちの払出装置よりも下流側の構成部分を介することなく、遊技球に静電気が帯電しやすい球受皿と所定のアース部との電気的導通を図る球受皿用の導電経路を備えたことにより、球受皿から除去される静電気が上流側（払出装置側）へ流れることを抑制することができる。結果として、上記作用効果をより確実なものとすることができる。
【０２８８】
手段８．前記内枠の左右一方側にて上下方向を回動軸として開閉可能に支持された前扉を備えるとともに、
前記球受皿を前記前扉の前面側にて備えた遊技機であって、
前記施錠装置は、
前記内枠に対し前記前扉を施錠する前扉施錠機構を有し、
前記前扉施錠機構に設けられた前扉用係合部と、前記前扉に設けられた前扉用被係合部とが係合することにより、前記前扉の開放を規制する前扉施錠状態となり、
前記前扉用係合部が前記前扉用被係合部から離脱（係合解除）されることにより、前記前扉の開放を許容する前扉解錠状態となる構成であって、
前記前扉用被係合部は、
金属製の導電材を用いて形成されるとともに、前記球受皿との電気的導通が図られ、
前記施錠装置が前記前扉施錠状態となることにより、前記前扉用係合部と前記前扉用被係合部とが電気的に導通して、当該施錠装置と前記球受皿との電気的導通が図られることを特徴とする手段７に記載の遊技機。
【０２８９】
従来、開閉可能に設けられた前扉のアース接続は、当該前扉の回動軸側を介して行うのが一般的である。しかしながら、通常、前扉には、遊技者が操作する操作手段（例えば発射装置を操作するためのハンドル）が設けられており、前扉の背面側には、その操作手段から内枠背面側の制御機器に接続される信号線等が配線されている。従って、手段７の構成のように、前扉の回動軸より離れた球受皿の下流側を始点とした球受皿用の導電経路を設けようとして、仮にアース線等よりなる当該導電経路を前扉の回動軸側を介して内枠側につなげた場合、前扉の背面側において上記信号線等とアース線等が並行して配設された状態なるため、当該アース線等から信号線等、ひいては制御機器へノイズが伝わるおそれがある。
【０２９０】
この点、本手段８によれば、球受皿で遊技球に帯電した静電気を遊技機外部へ放電除去するための導電経路の一部又は所定のアース部として施錠装置を利用することにより、前扉の背面側の比較的長い区間において導電経路を設けずともよく、上記不具合の発生を抑制することができるとともに、導電経路を比較的短いものとすることができる。
【０２９１】
以下に、上記各手段が適用される各種遊技機の基本構成を示す。
【０２９２】
Ａ．上記各手段における前記遊技機は弾球遊技機（パチンコ機又はパチンコ機に準ずる遊技機）であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された入球手段（一般入賞口、可変入賞装置、作動口等）とを備えた弾球遊技機」が挙げられる。
【０２９３】
Ｂ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【符号の説明】
【０２９４】
１０…パチンコ機、１１…外枠、１１ｃ…左辺枠構成部、１１ｄ…右辺枠構成部、１１ｇ…接続部、１２…内枠、１３…下皿ユニット、１４…前面枠セット、１５…上ヒンジ金具、１６…下ヒンジ金具、１７，１８…爪馬、２８…補強用板金、３１…下皿、３７…上皿、６５，６６…支持金具、１３１〜１３４…補強用板金、１８６…基枠、１８７ａ…接続部、１９２，１９３…鉤部材、１９４，１９５…前面枠セット施錠部材、１９７…下皿ユニット施錠部材、２０３…裏パックユニット、２３５…支持金具、２４５…遊技球分配部、３５２…払出機構部、３５５…タンク、３５６…タンクレール、３５７…ケースレール、３５８…払出装置、３５９…払出樋、４０１…導電プレート、４０５…導電板、４０９…導電板、Ｇ１…施錠装置。
【図１】
0006024732.tif 000002
【図２】
0006024732.tif 000003
【図３】
0006024732.tif 000004
【図４】
0006024732.tif 000005
【図５】
0006024732.tif 000006
【図６】
0006024732.tif 000007
【図７】
0006024732.tif 000008
【図８】
0006024732.tif 000009
【図９】
0006024732.tif 000010
【図１０】
0006024732.tif 000011
【図１１】
0006024732.tif 000012
【図１２】
0006024732.tif 000013
【図１３】
0006024732.tif 000014
【図１４】
0006024732.tif 000015
【図１５】
0006024732.tif 000016
【図１６】
0006024732.tif 000017
【図１７】
0006024732.tif 000018
【図１８】
0006024732.tif 000019
【図１９】
0006024732.tif 000020
【図２０】
0006024732.tif 000021
【図２１】
0006024732.tif 000022
【図２２】
0006024732.tif 000023
【図２３】
0006024732.tif 000024
【図２４】
0006024732.tif 000025
【図２５】
0006024732.tif 000026
【図２６】
0006024732.tif 000027
【図２７】
0006024732.tif 000028
【図２８】
0006024732.tif 000029
【図２９】
0006024732.tif 000030